(57)【要約】  【課題】  メモリーカードを普及させることが出来る情報配信システム、情報配信装置及び安価なメモリーカードを提供することを目的とする。  【解決手段】  情報配信装置は商品情報を送信する。通信端末装置は、前記商品情報を受信し、装着されているメモリーカードに送る。前記メモリーカードは、前記情報提供者の少なくとも一部費用負担によりユーザが有し、商品情報を記憶するための商品情報領域を有する記憶手段を備え、受け取った前記商品情報が前記情報提供者が発行したものであるか判断し、前記情報提供者が発行した商品情報であると判断する場合、受け取った前記商品情報をユーザに提示するために、前記商品情報領域に書き込む。  【選択図】  図１
2004164629.tif 000002
【特許請求の範囲】
【請求項１】
情報提供者からユーザに情報を配信する情報配信システムであって、
前記情報提供者が発行し、商品の宣伝効果がある商品情報を送信する情報配信装置と、
前記商品情報を受信し、受信した商品情報をメモリーカードに送る通信端末装置と、
メモリーカードとから構成され、
前記メモリーカードは、前記通信端末装置に装着され、可搬型で、前記情報提供者の少なくとも一部費用負担によりユーザが有し、
商品情報を記憶するための商品情報領域を有する記憶手段と、
受け取った前記商品情報が前記情報提供者が発行したものであるか判断する判断手段と、
前記情報提供者が発行した商品情報であると判断する場合のみ、受け取った前記商品情報をユーザに提示するために、前記商品情報領域に書き込む書込手段とを備える
ことを特徴とする情報配信システム。
【請求項２】
前記メモリーカードは、更に、前記情報提供者が発行した商品情報であると判断する場合のみ、受け取った商品情報を前記通信端末装置に送り、
前記通信端末装置は、更に、前記メモリーカードから前記商品情報を受け取り、受け取った商品情報を表示する
ことを特徴とする請求項１記載の情報配信システム。
【請求項３】
前記書込手段は、更に、前記情報提供者が発行した商品情報であると判断する場合のみ、商品情報の書き込みを示す書込情報を前記通信端末装置に送り、
前記通信端末装置は、受け取った書込情報を前記情報配信装置に送信し、
前記情報配信装置は、前記書込情報を受け取り、受け取った書込情報に応じて、通貨の代わりに用いられる電子チケットを生成し、生成した電子チケットを、前記通信端末装置を介して前記メモリーカードにセキュアに送信し、
前記書込手段は、受け取った電子チケットを前記記憶手段に書き込む
ことを特徴とする請求項２記載の情報配信システム。
【請求項４】
前記情報配信装置は、商品の代金を割り引くことを示すクーポン情報を含む前記商品情報を送信し、
前記書込手段は、前記クーポン情報を含む前記商品情報を前記商品情報領域に書き込み、
前記メモリーカードは、商品の購入の際に、更に、前記クーポン情報を、前記通信端末装置を介して送信し、
前記情報配信システムは、更に、前記商品の販売の際に、前記メモリーカードから前記通信端末装置を介してクーポン情報を受け取り、受け取ったクーポン情報に従って、商品の代金の割引を行う代金精算装置を含む
ことを特徴とする請求項２記載の情報配信システム。
【請求項５】
前記メモリーカードは、ユーザが前記情報提供者に対して、定期的に所定のリース額を支払うリース契約により、提供されたものであり、
前記記憶手段は、通貨の代わりに用いられる電子チケットを記憶しており、
前記メモリーカードは、定期的に、前記リース額に相当する額の電子チケットを、前記通信端末装置を介して前記通信端末装置へセキュアに送り、同額の電子チケットを前記記憶手段から削除する
ことを特徴とする請求項２記載の情報配信システム。
【請求項６】
前記メモリーカードは、前記通信端末装置に表示するため、前記商品情報を前記通信端末装置に送ると、前記リース額を減額し、減額した前記リース額に相当する額の電子チケットを、前記通信端末装置へセキュアに送り、同額の電子チケットを前記記憶手段から削除する
ことを特徴とする請求項５記載の情報配信システム。
【請求項７】
情報提供者からユーザに配信される情報を記憶するメモリーカードであって、
前記メモリーカードは、ユーザが有し、可搬型で、通信端末装置に装着され、
特定の情報提供者が発行する商品情報を記憶するための商品情報領域を有する記憶手段と、
情報配信装置から前記通信端末装置を介して、前記商品情報を受け取る受取手段と、
受け取った商品情報が、前記特定の情報提供者が発行した商品情報であるか判断する判断手段と、
前記特定の情報提供者が発行した商品情報であると判断する場合、受け取った前記商品情報をユーザに提示するために、前記商品情報領域に書き込む書込手段と
を備えることを特徴とするメモリーカード。
【請求項８】
前記メモリーカードは、更に、前記特定の情報提供者が発行した商品情報であると判断する場合のみ、受け取った商品情報を前記通信端末装置に送り、
前記通信端末装置は、更に、前記メモリーカードから前記商品情報を受け取り、受け取った商品情報を表示する
ことを特徴とする請求項７記載のメモリーカード。
【請求項９】
前記商品情報は、当該商品情報を発行する情報提供者を識別する第１情報提供者ＩＤを含み、
前記受取手段は、第１情報提供者ＩＤを含む前記商品情報を受け取り、
前記判断手段は、前記特定の情報提供者を識別する第２情報提供者ＩＤを有し、受け取った商品情報から前記第１情報提供者ＩＤを抽出し、抽出した第１情報提供者ＩＤが、前記第２情報提供者ＩＤと同一であるか判断することによって、受け取った商品情報は前記特定の情報提供者が発行した商品情報であるか判断し、
前記書込手段は、前記第１情報提供者ＩＤが、前記第２情報提供者ＩＤと同一である場合、受け取った商品情報を前記商品情報領域に書き込む
ことを特徴とする請求項８記載のメモリーカード。
【請求項１０】
前記判断手段は、予め前記特定の情報提供者の公開鍵を有し、
前記情報配信装置は、更に、前記特定の情報提供者の秘密鍵を有し、前記秘密鍵を用いて前記商品情報に対応するディジタル署名データを生成し、生成したディジタル署名データを送信し、
前記判断手段は、前記通信端末装置を介して前記ディジタル署名データを受け取り、前記公開鍵を用いて受け取ったディジタル署名データを署名検証することにより、受け取った商品情報が前記特定の情報提供者が発行した商品情報であるか判断し、
前記書込手段は、前記署名検証が成功の場合、前記商品情報を前記商品情報領域に書き込む
ことを特徴とする請求項８記載のメモリーカード。
【請求項１１】
前記書込手段は、前記特定の情報提供者が発行した商品情報であると判断する場合、前記商品情報の書き込みを示す書込情報を、前記通信端末装置を介して前記情報配信装置へ送り、
前記受取手段は、前記情報配信装置から、前記書込情報に応じて生成された、通貨の代わりに用いる電子チケットを、前記通信端末装置を介してセキュアに受け取る
ことを特徴とする請求項８記載のメモリーカード。
【請求項１２】
前記メモリーカードは、ユーザが前記特定の情報提供者に対して定期的に所定のリース額を支払うリース契約により、提供されたものであり、
前記記憶手段は、通貨の代わりに用いられる電子チケットを記憶しており、
前記受取手段は、定期的に、前記リース額に相当する量の電子チケットを、前記通信端末装置を介して前記情報配信装置へセキュアに送信し、同額の電子チケットを削除する
ことを特徴とする請求項８記載のメモリーカード。
【請求項１３】
前記受取手段は、前記商品情報の優先順位を含む商品情報を受け取り、
前記商品情報領域は、前記優先順位を含む前記商品情報を記憶しており、
前記書込手段は、前記商品情報領域に前記商品情報を書き込む際に、前記商品情報領域内に受け取った商品情報を書き込むための十分な空領域が無いとき、前記商品領域に記憶されている商品情報の内、含まれている優先順位が低いものに、受け取った前記商品情報を上書きする
ことを特徴とする請求項８記載のメモリーカード。
【請求項１４】
前記商品情報領域は、前記商品情報と、当該商品情報を受け取った取得時刻とを対応付けて記憶しており、
前記書込手段は、受け取った商品情報を前記商品情報領域に書き込む際に、前記商品情報領域内に、受け取った商品情報を書き込むための十分な空領域がないとき、前記商品情報領域に記憶されている商品情報の内、対応する前期取得時刻が古い商品情報に、受け取った前記商品情報を上書きする
ことを特徴とする請求項８記載のメモリーカード。
【請求項１５】
前記受取手段は、更に、別の情報提供者に対する優先順位を含む別の商品情報を受け取り、
前記商品情報領域は、前記特定の情報提供者に対する優先順位を含む前記商品情報を記憶しており、
前記書込手段は、受け取った別の商品情報を前記商品情報領域に書き込む際、前記商品情報領域内に、受け取った商品情報を書き込むための十分な空領域がないとき、前記商品情報領域に記憶されている商品情報の内、受け取った別の商品情報に含まれる優先順位より、低い優先順位を含む商品情報があれば、当該商品情報に受け取った別の商品情報を上書きする
ことを特徴とする請求項８記載のメモリーカード。
【請求項１６】
前記商品情報領域は、当該メモリーカードの費用を少なくとも一部負担している前記特定の情報提供者が発行する商品情報を記憶する
ことを特徴とする請求項８記載のメモリーカード。
【請求項１７】
情報提供者からユーザに配信される情報を記憶するメモリーカードであって、
前記メモリーカードは、ユーザが有し、可搬型で、通信端末装置に装着され、
特定の情報提供者が発行する商品情報を記憶するための商品情報領域を有する記憶手段と、
これから受信する前記商品情報の情報提供者を示す提供者情報を、情報配信装置から前記通信端末装置を介して受け取る第１受取手段と、
受け取った提供者情報を用いて、前記商品情報を発行した情報提供者が前記特定の情報提供者であるか判断する判断手段と、
前記特定の情報提供者であると判断した場合、前記通信端末装置を介して前記情報配信装置から前記商品情報を受け取る第２受取手段と、
受け取った商品情報を前記商品情報領域へ書き込む書込手段と
を備えることを特徴とするメモリーカード。
【請求項１８】
前記メモリーカードは、更に、前記特定の情報提供者が発行した商品情報であると判断し、前記商品情報を受け取った場合のみ、受け取った商品情報を前記通信端末装置に送り、
前記通信端末装置は、更に、前記メモリーカードから前記商品情報を受け取り、受け取った商品情報を表示する
ことを特徴とする請求項１７記載のメモリーカード。
【請求項１９】
前記商品情報には、当該商品情報を発行する情報提供者を識別する第１情報提供者ＩＤが対応付けられており、
前記第１受取手段は、前記情報配信装置から、前記通信端末装置を介して、前記提供者情報として、前記第１情報提供者ＩＤを受け取り、
前記判断手段は、受け取った第１情報提供者ＩＤが前記特定の情報提供者を識別する第２情報提供者ＩＤと同一であるか判断し、
前記第２受取手段は、受け取った第１情報提供者ＩＤが、前記第２情報提供者ＩＤと同一である場合、前記第１情報提供者ＩＤが付されている商品情報を、前記通信端末装置を介して前記情報配信装置から受け取り、
前記書込手段は、受け取った商品情報を前記商品情報領域に書き込む
ことを特徴とする請求項１８記載のメモリーカード。
【請求項２０】
前記判断手段は、前記特定の情報提供者の公開鍵を有し、
前記情報配信装置は、前記情報提供者の秘密鍵を有し、
前記第１受取手段は、乱数を生成して前記通信端末装置を介して前記情報配信装置に送り、
前記情報配信装置は、前記乱数を受け取ると、前記秘密鍵を用いて受け取った乱数に対するディジタル署名データを生成し、生成したディジタル署名データを、前記通信端末装置を介して前記メモリーカードに送り、
前記第１受取手段が前記ディジタル署名データを受け取ると、前記判断手段は、前記公開鍵を用いて、受け取ったディジタル署名データを署名検証することによって前記特定の情報提供者であるか判断し、
前記第２受取手段は、前記署名検証が成功の場合、前記通信端末装置を介して前記情報配信装置から前記商品情報を取得し、
前記書込手段は、取得した商品情報を前記商品情報領域に書き込む
ことを特徴とする請求項１８記載のメモリーカード。
【請求項２１】
前記情報提供者が発行する商品情報を記憶している情報提供装置は、前記情報配信装置の第２公開鍵及び当該情報提供装置の第１秘密鍵を有し、前記第１秘密鍵を用いて前記第２公開鍵に、ディジタル署名アルゴリズムを施してディジタル署名データを生成し、生成したディジタル署名データ及び前記第２公開鍵を前記情報配信装置に送り、
前記情報配信装置は、当該情報配信装置自身の第２秘密鍵を有し、前記ディジタル署名データ及び第２公開鍵を受け取り、受け取ったディジタル署名データ及び第２公開鍵を、前記通信端末装置を介して前記メモリーカードに送り、
前記判断手段は、前記情報提供装置の第１公開鍵を有し、前記ディジタル署名データ及び第２公開鍵を受け取ると、前記第１公開鍵、ディジタル署名データ及び第２公開鍵を用いて、署名検証アルゴリズムを施して署名検証し、
前記書込手段は、前記署名検証が成功の場合、前記情報配信装置から前記通信端末装置を介して前記商品情報を取得し、取得した商品情報を前記商品情報領域に書き込む
ことを特徴とする請求項１８記載のメモリーカード。
【請求項２２】
前記第１受取手段は、乱数を生成し、生成した乱数を前記通信端末装置を介して前記情報配信装置に送り、
前記情報配信装置は、共通鍵を有し、前記乱数を受け取ると、前記共通鍵を用いて前記乱数を暗号化して暗号データを生成し、生成した暗号データを前記通信端末装置を介して前記メモリーカードに送り、
前記判断手段は、前記情報配信装置が有している前記共通鍵と同一の共通鍵を有し、前記第１受取手段が前記暗号データを受け取ると、前記共通鍵を用いて、受け取った暗号データが前記共通鍵を用いて前記乱数を暗号化したものであるか検証し、
前記第２受取手段は、前記受け取った暗号データが前記共通鍵を用いて前記乱数を暗号化したものある場合、前記情報配信装置から前記通信端末装置を介して前記商品情報を受け取り、
前記書込手段は、受け取った商品情報を前記商品情報領域に書き込む
ことを特徴とする請求項１８記載のメモリーカード。
【請求項２３】
前記商品情報領域は、当該メモリーカードの費用を少なくとも一部負担している前記特定の情報提供者が発行する商品情報を記憶する
ことを特徴とする請求項１８記載のメモリーカード。
【請求項２４】
情報提供者からユーザに配信される情報を記憶する、可搬型で通信端末装置に装着されるメモリーカードであって、
前記メモリーカードは、ユーザが前記情報提供者に対して、定期的に所定のリース額を支払うリース契約によりユーザに対して提供されたものであり、
前記情報提供者が発行する商品情報を記憶するための商品情報領域と、通貨の代わりに用いられる電子チケットを記憶する領域とを有する記憶手段と、
前記通信端末装置を介して、前記情報配信装置から、前記情報提供者を特定する第１情報提供者ＩＤを受け取る第１送受信手段と、
受け取った第１情報提供者ＩＤを前記商品情報領域に書き込む第１書込手段と、
定期的に前記リース額に相当する量の電子チケットを、前記通信端末装置を介して前記情報配信装置へセキュアに送る第２送受信手段と、
前記商品情報を発行する情報提供者を特定する第２情報提供者ＩＤ含む前記商品情報を、前記情報配信装置から受け取る第３送受信手段と、
受け取った第２情報提供者ＩＤが、前記第１情報提供者ＩＤと同一であるか判断する判断手段と、
前記第２情報提供者ＩＤが前記第１情報提供者ＩＤと同一である場合、受け取った前記商品情報をユーザに提示するために、前記商品情報領域に書き込む第２書込手段と、
前記商品情報を書き込むと、前記リース額を所定量減額し、減額したリース額を、前記通信端末装置を介して前記情報配信装置へセキュアに送信する第４送受信手段と、
前記減額したリース額と同額の電子チケットを前記記憶手段から削除する第３書込手段と
から構成されることを特徴とするメモリーカード。
【請求項２５】
情報提供者からユーザに配信される情報を記憶し、可搬型で通信端末装置に装着されるメモリーカードであって、
前記情報提供者が発行する商品情報を記憶するための商品情報領域と、通貨の代わりに用いられる電子チケットを記憶する領域とを有する記憶手段と、
前記通信端末装置を介して、前記情報配信装置から前記情報提供者を特定する第１情報提供者ＩＤを受け取る第１送受信手段と、
受け取った第１情報提供者ＩＤを前記商品情報領域に書き込む第１書込手段と、
前記商品情報を発行する情報提供者を特定する第２情報提供者ＩＤ含む前記商品情報を、前記通信端末装置を介して前記情報配信装置から受け取る第２送受信手段と、
受け取った第２情報提供者ＩＤが、前記第１情報提供者ＩＤと同一であるか判断する判断手段と、
前記第２情報提供者ＩＤが前記第１情報提供者ＩＤと同一である場合、受け取った前記商品情報をユーザに提示するために、前記商品情報領域に書き込む第２書込手段と、
前記通信端末装置を介して、前記商品情報の書き込みを示す書込情報を、前記情報配信装置に送り、前記情報配信装置から前記書込情報に応じて発行された、通貨の代わりに用いられる電子チケットをセキュアに受け取る第３送受信手段と、
受け取った前記電子チケットを、前記記憶手段に書き込む第３書込手段と
から構成されることを特徴とするメモリーカード。
【請求項２６】
情報提供者からの情報をユーザに配信する情報配信装置であって、
前記情報提供者が発行する商品情報を、ユーザが有するメモリーカードに、通信端末装置を介して送信する送信手段
を備えることを特徴とする情報配信装置。
【請求項２７】
前記情報配信装置は、前記メモリーカードから、受け取った前記商品情報を書き込んだことを示す書込情報を、前記通信端末装置を介して受け取ると、受け取った書込情報に応じて、通貨の代わりに用いられる電子チケットを生成し、
前記送信手段は、前記電子チケットを前記通信端末装置を介して前記メモリーカードへセキュアに送信する
ことを特徴とする請求項２６記載の情報配信装置。
【請求項２８】
前記送信手段は、前記情報提供者の商品の価格を割り引くことを示すクーポン情報を含む前記商品情報を送信する
ことを特徴とする請求項２６記載の情報配信装置。
【請求項２９】
前記情報配信装置は、前記クーポン情報が示す割引を実行する代金精算装置から、前記クーポン情報が示す割引を実行したことを示す実行情報を受け取ると、受け取った実行情報に応じて、通貨の代わりに用いられる電子チケットを生成し、
前記送信手段は、前記電子チケットを前記通信端末装置を介して前記メモリーカードへセキュアに送信する
ことを特徴とする請求項２８記載の情報配信装置。
【請求項３０】
商品の売買の際に代金の精算を行う代金精算装置であって、
商品の代金を割り引くことを示すクーポン情報に含まれ、当該クーポン情報を発行する情報提供者を識別する第１情報提供者ＩＤを記憶している記憶手段と、
ユーザが有し、前記クーポン情報を記憶しているメモリーカードから、通信端末装置を介して前記クーポン情報を受け取る受取手段と、
受け取ったクーポン情報に含まれる第２情報提供者ＩＤが、前記第１情報提供者ＩＤと同一であるか判断する判断手段と、
前記第２情報提供者ＩＤが、前記第１情報提供者ＩＤと同一である場合、前記受け取ったクーポン情報が示す割引を実行する実行手段と
から構成されることを特徴とする代金精算装置。
【請求項３１】
前記実行手段は、更に、前記クーポン情報が示す割引を実行したことを示す実行情報を、定期的に、前記クーポン情報を前記通信端末装置を介して前記メモリーカードに配信する情報配信装置に送り、
前記受取手段は、前記情報配信装置から、前記実行情報に応じて生成された、通貨の代わりに用いられる電子チケットをセキュアに受け取り、
前記記憶手段は、受け取った電子チケットを記憶する
ことを特徴とする請求項３０記載の代金精算装置。
【請求項３２】
情報提供者からユーザに配信される情報を記憶するメモリーカードで用いられるプログラムであって、
前記メモリーカードは、ユーザが有し、可搬型で、通信端末装置に装着され、
特定の情報提供者が発行する商品情報を記憶するための商品情報領域を有する記憶手段を備え、
前記プログラムは、情報配信装置から前記通信端末装置を介して、前記商品情報を受け取る受取ステップと、
受け取った商品情報が、前記特定の情報提供者が発行した商品情報であるか判断する判断ステップと、
前記特定の情報提供者が発行した商品情報であると判断する場合、受け取った前記商品情報をユーザに提示するために、前記商品情報領域に書き込む書込ステップと
を含むことを特徴とするプログラム。
【請求項３３】
情報提供者からユーザに配信される情報を記憶するメモリーカードで用いられる方法であって、
前記メモリーカードは、ユーザが有し、可搬型で、通信端末装置に装着され、
特定の情報提供者が発行する商品情報を記憶するための商品情報領域を有する記憶手段を備え、
前記方法は、情報配信装置から前記通信端末装置を介して、前記商品情報を受け取る受取ステップと、
受け取った商品情報が、前記特定の情報提供者が発行した商品情報であるか判断する判断ステップと、
前記特定の情報提供者が発行した商品情報であると判断する場合、受け取った前記商品情報をユーザに提示するために、前記商品情報領域に書き込む書込ステップと
を含むことを特徴とする方法。
【請求項３４】
情報提供者からユーザに配信される情報を記憶するメモリーカードで用いられるプログラムを記録している、コンピュータ読み取り可能な記録媒体であって、
前記メモリーカードは、ユーザが有し、可搬型で、通信端末装置に装着され、
特定の情報提供者が発行する商品情報を記憶するための商品情報領域を有する記憶手段を備え、
前記プログラムは、情報配信装置から前記通信端末装置を介して、前記商品情報を受け取る受取ステップと、
受け取った商品情報が、前記特定の情報提供者が発行した商品情報であるか判断する判断ステップと、
前記特定の情報提供者が発行した商品情報であると判断する場合、受け取った前記商品情報をユーザに提示するために、前記商品情報領域に書き込む書込ステップと
を含むことを特徴とする記録媒体。
【請求項３５】
情報提供者からユーザに配信される情報を記憶するメモリーカードで用いられるプログラムであって、
前記メモリーカードは、ユーザが有し、可搬型で、通信端末装置に装着され、
特定の情報提供者が発行する商品情報を記憶するための商品情報領域を有する記憶手段を備え、
前記プログラムは、これから受信する前記商品情報の情報提供者を示す提供者情報を、情報配信装置から前記通信端末装置を介して受け取る第１受取ステップと、
受け取った提供者情報を用いて、前記商品情報を発行した情報提供者が前記特定の情報提供者であるか判断する判断ステップと、
前記特定の情報提供者であると判断した場合、前記通信端末装置を介して前記情報配信装置から前記商品情報を受け取る第２受取ステップと、
受け取った商品情報を前記商品情報領域へ書き込む書込ステップと
を含むことを特徴とするプログラム。
【請求項３６】
情報提供者からユーザに配信される情報を記憶するメモリーカードで用いられる方法であって、
前記メモリーカードは、ユーザが有し、可搬型で、通信端末装置に装着され、
特定の情報提供者が発行する商品情報を記憶するための商品情報領域を有する記憶手段を備え、
前記方法は、これから受信する前記商品情報の情報提供者を示す提供者情報を、情報配信装置から前記通信端末装置を介して受け取る第１受取ステップと、
受け取った提供者情報を用いて、前記商品情報を発行した情報提供者が前記特定の情報提供者であるか判断する判断ステップと、
前記特定の情報提供者であると判断した場合、前記通信端末装置を介して前記情報配信装置から前記商品情報を受け取る第２受取ステップと、
受け取った商品情報を前記商品情報領域へ書き込む書込ステップと
を含むことを特徴とする方法。
【請求項３７】
情報提供者からユーザに配信される情報を記憶するメモリーカードで用いられるプログラムを記録している、コンピュータ読み取り可能な記録媒体であって、
前記メモリーカードは、ユーザが有し、可搬型で、通信端末装置に装着され、
特定の情報提供者が発行する商品情報を記憶するための商品情報領域を有する記憶手段を備え、
前記プログラムは、これから受信する前記商品情報の情報提供者を示す提供者情報を、情報配信装置から前記通信端末装置を介して受け取る第１受取ステップと、
受け取った提供者情報を用いて、前記商品情報を発行した情報提供者が前記特定の情報提供者であるか判断する判断ステップと、
前記特定の情報提供者であると判断した場合、前記通信端末装置を介して前記情報配信装置から前記商品情報を受け取る第２受取ステップと、
受け取った商品情報を前記商品情報領域へ書き込む書込ステップと
を含むことを特徴とする記録媒体。
【発明の詳細な説明】
【技術分野】
【０００１】
本発明は、情報提供者からユーザに情報を配信する情報配信システムに関する。
【背景技術】
【０００２】
近年、携帯電話には、赤外線、ＢｌｕｅＴｏｏｔｈ等、近距離無線通信を用いる外部とのローカル通信手段が備え付けられつつある。また、飲食店や空港、駅、ホテルなど、多様な場所では近距離無線ネットワークサービスが提供され、インターネットが利用できるようになっている。
更に、携帯電話は、画像や音声の記録手段としてメモリーカードが接続できるよう装備されつつある。特許文献１では、デジタルカメラなどの撮像装置にて撮像した画像のデータに文書データを付加して、メモリーカードに記録する技術が公開されている。
【特許文献１】特開平６−３１５１０９号公報
【発明の開示】
【発明が解決しようとする課題】
【０００３】
しかしながら、メモリーカードは比較的高価であり、更なる普及の要請がある。
本発明は、上記要請に応えるため、メモリーカードを普及させることが出来る情報配信システム、情報配信装置及び安価なメモリーカードを提供することを目的とする。
【課題を解決するための手段】
【０００４】
上記目的を解決するために、スポンサーサーバ装置は、メモリーカードの費用の一部又は全額を負担しているスポンサーの広告情報及びクーポン情報を記憶しており、記憶している広告情報及びクーポン情報を送信し、サーバ装置は、スポンサーサーバ装置から受信する広告情報及びクーポン情報を記憶し、記憶している広告情報及びクーポン情報を送信し、近距離無線装置は、サーバ装置から受け取るスポンサーの広告情報及びクーポン情報を記憶しており、広告情報及びクーポン情報を所定距離の範囲で繰り返し送信し、携帯電話は、近距離無線装置から送信される広告情報及びクーポン情報を受信し、スポンサーカードは、メモリーカードの費用の一部又は全額をスポンサーが負担してユーザに提供されており、携帯電話から広告情報及びクーポン情報を取得し、取得した広告情報及びクーポン情報が、当該スポンサーカードのスポンサーが発行したものであるか検証し、当該スポンサーが発行したものであれば記憶し、レジは、携帯電話がスポンサーカードから読み出し、送信したクーポン情報を受け取り、受け取ったクーポン情報が当該レジのスポンサーが発行したクーポン情報であるか検証し、当該スポンサーのクーポン情報であれば、クーポン情報が示すサービスを実行する情報配信システムである。
【０００５】
このシステムによって、多数のユーザに広告情報及びクーポン情報を送信し、宣伝効果を上げることが出来る。また、スポンサーがスポンサーカードの費用の一部又は全額を負担することで、安価でユーザに提供することが出来る。
【発明の効果】
【０００６】
本発明は、上記構成の情報配信システムである。
この構成によると、メモリーカードの費用を情報提供者が負担するため、ユーザは、安価でメモリーカードを入手することが出来る。
ここで、前記メモリーカードは、更に、前記情報提供者が発行した商品情報であると判断する場合のみ、受け取った商品情報を前記通信端末装置に送り、前記通信端末装置は、更に、前記メモリーカードから前記商品情報を受け取り、受け取った商品情報を表示するようにしてもよい。
【０００７】
この構成によると、メモリーカードの費用を負担した情報提供者が発行する商品情報を、ユーザに見せることが出来る。
ここで、前記書込手段は、更に、前記情報提供者が発行した商品情報であると判断する場合のみ、商品情報の書き込みを示す書込情報を前記通信端末装置に送り、前記通信端末装置は、受け取った書込情報を前記情報配信装置に送信し、前記情報配信装置は、前記書込情報を受け取り、受け取った書込情報に応じて、通貨の代わりに用いられる電子チケットを生成し、生成した電子チケットを、前記通信端末装置を介して前記メモリーカードにセキュアに送信し、前記書込手段は、受け取った電子チケットを前記記憶手段に書き込むようにしても良い。
【０００８】
この構成によると、書込情報に応じた電子チケットを取得する為、ユーザは、取得した電子チケットでメモリーカードを容量が大きいメモリーカードに更新したり、新しいメモリーカードを取得したり出来る。
ここで、前記情報配信装置は、商品の代金を割り引くことを示すクーポン情報を含む前記商品情報を送信し、前記書込手段は、前記クーポン情報を含む前記商品情報を前記商品情報領域に書き込み、前記メモリーカードは、商品の購入の際に、更に、前記クーポン情報を、前記通信端末装置を介して送信し、前記情報配信システムは、更に、前記商品の販売の際に、前記メモリーカードから前記通信端末装置を介してクーポン情報を受け取り、受け取ったクーポン情報に従って、商品の代金の割引を行う代金精算装置を含むようにしても良い。
【０００９】
この構成によると、ユーザは、情報提供者から受け取ったクーポン情報を代金精算装置に送ることで、商品の代金を割引くことが出来る。
ここで、前記メモリーカードは、ユーザが前記情報提供者に対して、定期的に所定のリース額を支払うリース契約により、提供されたものであり、前記記憶手段は、通貨の代わりに用いられる電子チケットを記憶しており、前記メモリーカードは、定期的に、前記リース額に相当する額の電子チケットを、前記通信端末装置を介して前記通信端末装置へセキュアに送り、同額の電子チケットを前記記憶手段から削除するようにしても良い。
【００１０】
この構成によると、ユーザは、メモリーカードから定期的に、情報配信装置へ電子チケットを送ることで、前記メモリーカードをリースすることが出来る。
ここで、前記メモリーカードは、前記通信端末装置に表示するため、前記商品情報を前記通信端末装置に送ると、前記リース額を減額し、減額した前記リース額に相当する額の電子チケットを、前記通信端末装置へセキュアに送り、同額の電子チケットを前記記憶手段から削除するようにしても良い。
【００１１】
この構成によると、通信端末装置が表示する商品情報をユーザが見ることで、リース額を割引くことが出来る。
また、本発明は、情報提供者からユーザに配信される情報を記憶するメモリーカードであって、前記メモリーカードは、ユーザが有し、可搬型で、通信端末装置に装着され、特定の情報提供者が発行する商品情報を記憶するための商品情報領域を有する記憶手段と、情報配信装置から前記通信端末装置を介して、前記商品情報を受け取る受取手段と、受け取った商品情報が、前記特定の情報提供者が発行した商品情報であるか判断する判断手段と、前記特定の情報提供者が発行した商品情報であると判断する場合、受け取った前記商品情報をユーザに提示するために、前記商品情報領域に書き込む書込手段とを備えることを特徴とするメモリーカードである。
【００１２】
ここで、前記メモリーカードは、更に、前記特定の情報提供者が発行した商品情報であると判断する場合のみ、受け取った商品情報を前記通信端末装置に送り、前記通信端末装置は、更に、前記メモリーカードから前記商品情報を受け取り、受け取った商品情報を表示するようにしても良い。
また、前記商品情報領域は、当該メモリーカードの費用を少なくとも一部負担している前記特定の情報提供者が発行する商品情報を記憶するとしても良い。
【００１３】
この構成によると、メモリーカードの費用を負担した、特定の情報提供者が発行する商品情報をユーザが見ることによって、ユーザにメモリーカードを安価で提供することが出来る。
ここで、前記商品情報は、当該商品情報を発行する情報提供者を識別する第１情報提供者ＩＤを含み、前記受取手段は、第１情報提供者ＩＤを含む前記商品情報を受け取り、前記判断手段は、前記特定の情報提供者を識別する第２情報提供者ＩＤを有し、受け取った商品情報から前記第１情報提供者ＩＤを抽出し、抽出した第１情報提供者ＩＤが、前記第２情報提供者ＩＤと同一であるか判断することによって、受け取った商品情報は前記特定の情報提供者が発行した商品情報であるか判断し、前記書込手段は、前記第１情報提供者ＩＤが、前記第２情報提供者ＩＤと同一である場合、受け取った商品情報を前記商品情報領域に書き込むようにしても良い。
【００１４】
この構成によると、情報提供者を識別するＩＤによって、メモリーカードは、当該メモリーカードの費用を負担した情報提供者が発行した商品情報だけ受け取ることが出来る。
ここで、前記判断手段は、予め前記特定の情報提供者の公開鍵を有し、前記情報配信装置は、更に、前記特定の情報提供者の秘密鍵を有し、前記秘密鍵を用いて前記商品情報に対応するディジタル署名データを生成し、生成したディジタル署名データを送信し、前記判断手段は、前記通信端末装置を介して前記ディジタル署名データを受け取り、前記公開鍵を用いて受け取ったディジタル署名データを署名検証することにより、受け取った商品情報が前記特定の情報提供者が発行した商品情報であるか判断し、前記書込手段は、前記署名検証が成功の場合、前記商品情報を前記商品情報領域に書き込むようにしても良い。
【００１５】
この構成によると、メモリーカードは、受け取った商品情報が、当該メモリーカードの費用を負担する情報提供者が発行した商品情報か判断でき、受け取った商品情報が改竄されていないか判断できる。
ここで、前記書込手段は、前記特定の情報提供者が発行した商品情報であると判断する場合、前記商品情報の書き込みを示す書込情報を、前記通信端末装置を介して前記情報配信装置へ送り、前記受取手段は、前記情報配信装置から、前記書込情報に応じて生成された、通貨の代わりに用いる電子チケットを、前記通信端末装置を介してセキュアに受け取るようにしても良い。
【００１６】
この構成によると、書込情報に応じた電子チケットを取得する為、ユーザは、取得した電子チケットでメモリーカードを容量が大きいメモリーカードに更新したり、新しいメモリーカードを取得したり出来る。
ここで、前記メモリーカードは、ユーザが前記情報提供者に対して定期的に所定のリース額を支払うリース契約により、提供されたものであり、前記記憶手段は、通貨の代わりに用いられる電子チケットを記憶しており、前記受取手段は、定期的に、前記リース額に相当する量の電子チケットを、前記通信端末装置を介して前記情報配信装置へセキュアに送信し、同額の電子チケットを削除するようにしても良い。
【００１７】
この構成によると、ユーザは、メモリーカードから定期的に、情報配信装置へ電子チケットを送ることで、前記メモリーカードをリースすることが出来る。
ここで、前記受取手段は、前記商品情報の優先順位を含む商品情報を受け取り、前記商品情報領域は、前記優先順位を含む前記商品情報を記憶しており、前記書込手段は、前記商品情報領域に前記商品情報を書き込む際に、前記商品情報領域内に受け取った商品情報を書き込むための十分な空領域が無いとき、前記商品領域に記憶されている商品情報の内、含まれている優先順位が低いものに、受け取った前記商品情報を上書きするようにしても良い。
【００１８】
この構成によると、メモリーカードは、商品情報領域に受け取った商品情報を書き込むための十分な空き領域が無い場合、商品情報に含まれる優先順位によって、上書きする商品情報を決定することが出来る。
ここで、前記商品情報領域は、前記商品情報と、当該商品情報を受け取った取得時刻とを対応付けて記憶しており、前記書込手段は、受け取った商品情報を前記商品情報領域に書き込む際に、前記商品情報領域内に、受け取った商品情報を書き込むための十分な空領域がないとき、前記商品情報領域に記憶されている商品情報の内、対応する前期取得時刻が古い商品情報に、受け取った前記商品情報を上書きするようにしても良い。
【００１９】
この構成によると、メモリーカードは、商品情報領域に受け取った商品情報を書き込むための十分な空き領域が無い場合、取得時刻が古い商品情報から上書きすることが出来る。
ここで、前記受取手段は、更に、別の情報提供者に対する優先順位を含む別の商品情報を受け取り、
前記商品情報領域は、前記特定の情報提供者に対する優先順位を含む前記商品情報を記憶しており、
前記書込手段は、受け取った別の商品情報を前記商品情報領域に書き込む際、前記商品情報領域内に、受け取った商品情報を書き込むための十分な空領域がないとき、前記商品情報領域に記憶されている商品情報の内、受け取った別の商品情報に含まれる優先順位より、低い優先順位を含む商品情報があれば、当該商品情報に受け取った別の商品情報を上書きするようにしても良い。
【００２０】
この構成によると、メモリーカードは、商品情報領域に受け取った商品情報を書き込むための十分な空き領域が無い場合、受け取った情報提供者の優先順位より低い優先順位を含む商品情報に上書きすることが出来る。
また、本発明は、情報提供者からユーザに配信される情報を記憶するメモリーカードであって、前記メモリーカードは、ユーザが有し、可搬型で、通信端末装置に装着され、特定の情報提供者が発行する商品情報を記憶するための商品情報領域を有する記憶手段と、これから受信する前記商品情報の情報提供者を示す提供者情報を、情報配信装置から前記通信端末装置を介して受け取る第１受取手段と、受け取った提供者情報を用いて、前記商品情報を発行した情報提供者が前記特定の情報提供者であるか判断する判断手段と、前記特定の情報提供者であると判断した場合、前記通信端末装置を介して前記情報配信装置から前記商品情報を受け取る第２受取手段と、受け取った商品情報を前記商品情報領域へ書き込む書込手段とを備えることを特徴とするメモリーカードである。
【００２１】
ここで、前記メモリーカードは、更に、前記特定の情報提供者が発行した商品情報であると判断し、前記商品情報を受け取った場合のみ、受け取った商品情報を前記通信端末装置に送り、前記通信端末装置は、更に、前記メモリーカードから前記商品情報を受け取り、受け取った商品情報を表示するとしても良い。
また、前記商品情報領域は、当該メモリーカードの費用を少なくとも一部負担している前記特定の情報提供者が発行する商品情報を記憶するとしても良い。
【００２２】
この構成によると、メモリーカードは、当該メモリーカードの費用を負担する情報提供者が発行した商品情報のみ受け取ることで、ユーザに安価で提供される。
また、メモリーカードが受け取った商品情報を通信端末装置が表示することで、ユーザに、当該メモリーカードの費用を負担している情報提供者が発行した商品情報を見せることが出来る。
【００２３】
ここで、前記商品情報には、当該商品情報を発行する情報提供者を識別する第１情報提供者ＩＤが対応付けられており、前記第１受取手段は、前記情報配信装置から、前記通信端末装置を介して、前記提供者情報として、前記第１情報提供者ＩＤを受け取り、前記判断手段は、受け取った第１情報提供者ＩＤが前記特定の情報提供者を識別する第２情報提供者ＩＤと同一であるか判断し、前記第２受取手段は、受け取った第１情報提供者ＩＤが、前記第２情報提供者ＩＤと同一である場合、前記第１情報提供者ＩＤが付されている商品情報を、前記通信端末装置を介して前記情報配信装置から受け取り、前記書込手段は、受け取った商品情報を前記商品情報領域に書き込むようにしても良い。
【００２４】
この構成によると、受け取った情報提供者ＩＤが、当該メモリーカードの費用を負担する情報提供者を識別する情報提供者ＩＤか判断することで、費用を負担する情報提供者が発行した商品情報のみ受信することが出来る。
ここで、前記判断手段は、前記特定の情報提供者の公開鍵を有し、前記情報配信装置は、前記情報提供者の秘密鍵を有し、前記第１受取手段は、乱数を生成して前記通信端末装置を介して前記情報配信装置に送り、前記情報配信装置は、前記乱数を受け取ると、前記秘密鍵を用いて受け取った乱数に対するディジタル署名データを生成し、生成したディジタル署名データを、前記通信端末装置を介して前記メモリーカードに送り、前記第１受取手段が前記ディジタル署名データを受け取ると、前記判断手段は、前記公開鍵を用いて、受け取ったディジタル署名データを署名検証することによって前記特定の情報提供者であるか判断し、前記第２受取手段は、前記署名検証が成功の場合、前記通信端末装置を介して前記情報配信装置から前記商品情報を取得し、前記書込手段は、取得した商品情報を前記商品情報領域に書き込むようにしても良い。
【００２５】
この構成によると、メモリーカードは、商品情報を配信する情報配信装置が、当該メモリーカードの費用を負担している情報提供者が発行する商品情報を配信しているか判断することで、費用を負担している情報提供者が発行する商品情報のみ受け取ることが出来る。
ここで、前記情報提供者が発行する商品情報を記憶している情報提供装置は、前記情報配信装置の第２公開鍵及び当該情報提供装置の第１秘密鍵を有し、前記第１秘密鍵を用いて前記第２公開鍵に、ディジタル署名アルゴリズムを施してディジタル署名データを生成し、生成したディジタル署名データ及び前記第２公開鍵を前記情報配信装置に送り、前記情報配信装置は、当該情報配信装置自身の第２秘密鍵を有し、前記ディジタル署名データ及び第２公開鍵を受け取り、受け取ったディジタル署名データ及び第２公開鍵を、前記通信端末装置を介して前記メモリーカードに送り、前記判断手段は、前記情報提供装置の第１公開鍵を有し、前記ディジタル署名データ及び第２公開鍵を受け取ると、前記第１公開鍵、ディジタル署名データ及び第２公開鍵を用いて、署名検証アルゴリズムを施して署名検証し、前記書込手段は、前記署名検証が成功の場合、前記情報配信装置から前記通信端末装置を介して前記商品情報を取得し、取得した商品情報を前記商品情報領域に書き込むようにしても良い。
【００２６】
この構成によると、メモリーカードは、受け取る商品情報が当該メモリーカードの費用を負担する情報提供者が発行した商品情報であるか判断することで、費用を負担している情報提供者が発行する商品情報のみ受け取ることが出来る。
ここで、前記第１受取手段は、乱数を生成し、生成した乱数を前記通信端末装置を介して前記情報配信装置に送り、前記情報配信装置は、共通鍵を有し、前記乱数を受け取ると、前記共通鍵を用いて前記乱数を暗号化し、暗号データを生成し、生成した暗号データを前記通信端末装置を介して前記メモリーカードに送り、前記判断手段は、前記情報配信装置が有している前記共通鍵と同一の共通鍵を有し、前記第１受取手段が前記暗号データを受け取ると、前記共通鍵を用いて、受け取った暗号データが前記共通鍵を用いて前記乱数を暗号化したものであるか検証し、前記第２受取手段は、前記受け取った暗号データが前記共通鍵を用いて前記乱数を暗号化したものある場合、前記情報配信装置から前記通信端末装置を介して前記商品情報を受け取り、前記書込手段は、受け取った商品情報を前記商品情報領域に書き込むようにしても良い。
【００２７】
この構成によると、商品情報を配信する情報配信装置が、当該メモリーカードの費用を負担する情報提供者が発行する商品情報を配信しているか判断することで、費用を負担する情報提供者が発行した商品情報のみ受け取ることが出来る。
また、本発明は、情報提供者からユーザに配信される情報を記憶する、可搬型で通信端末装置に装着されるメモリーカードであって、前記メモリーカードは、ユーザが前記情報提供者に対して、定期的に所定のリース額を支払うリース契約によりユーザに対して提供されたものであり、前記情報提供者が発行する商品情報を記憶するための商品情報領域と、通貨の代わりに用いられる電子チケットを記憶する領域とを有する記憶手段と、前記通信端末装置を介して、前記情報配信装置から、前記情報提供者を特定する第１情報提供者ＩＤを受け取る第１送受信手段と、受け取った第１情報提供者ＩＤを前記商品情報領域に書き込む第１書込手段と、定期的に前記リース額に相当する量の電子チケットを、前記通信端末装置を介して前記情報配信装置へセキュアに送る第２送受信手段と、前記商品情報を発行する情報提供者を特定する第２情報提供者ＩＤ含む前記商品情報を、前記情報配信装置から受け取る第３送受信手段と、受け取った第２情報提供者ＩＤが、前記第１情報提供者ＩＤと同一であるか判断する判断手段と、前記第２情報提供者ＩＤが前記第１情報提供者ＩＤと同一である場合、受け取った前記商品情報をユーザに提示するために、前記商品情報領域に書き込む第２書込手段と前記商品情報を書き込むと、前記リース額を所定量減額し、減額したリース額を、前記通信端末装置を介して前記情報配信装置へセキュアに送信する第４送受信手段と、前記減額したリース額と同額の電子チケットを前記記憶手段から削除する第３書込手段とから構成されることを特徴とするメモリーカードである。
【００２８】
この構成によると、ユーザは、メモリーカードを取得してから、情報提供者ＩＤを登録することで、当該メモリーカードの費用を負担する情報提供者を決定することが出来、メモリーカードから定期的に、情報配信装置へ電子チケットを送ることで、前記メモリーカードをリースすることが出来、また、商品情報を書き込むことによって、リース額を減額することが出来る。
【００２９】
また、本発明は、情報提供者からユーザに配信される情報を記憶し、可搬型で通信端末装置に装着されるメモリーカードであって、前記情報提供者が発行する商品情報を記憶するための商品情報領域と、通貨の代わりに用いられる電子チケットを記憶する領域とを有する記憶手段と、前記通信端末装置を介して、前記情報配信装置から前記情報提供者を特定する第１情報提供者ＩＤを受け取る第１送受信手段と、受け取った第１情報提供者ＩＤを前記商品情報領域に書き込む第１書込手段と、前記商品情報を発行する情報提供者を特定する第２情報提供者ＩＤ含む前記商品情報を、前記通信端末装置を介して前記情報配信装置から受け取る第２送受信手段と、受け取った第２情報提供者ＩＤが、前記第１情報提供者ＩＤと同一であるか判断する判断手段と、前記第２情報提供者ＩＤが前記第１情報提供者ＩＤと同一である場合、受け取った前記商品情報をユーザに提示するために、前記商品情報領域に書き込む第２書込手段と、前記通信端末装置を介して、前記商品情報の書き込みを示す書込情報を、前記情報配信装置に送り、前記情報配信装置から前記書込情報に応じて発行された、通貨の代わりに用いられる電子チケットをセキュアに受け取る第３送受信手段と、受け取った前記電子チケットを、前記記憶手段に書き込む第３書込手段とから構成されることを特徴とするメモリーカードである。
【００３０】
この構成によると、ユーザは、メモリーカードを取得してから、情報提供者ＩＤを登録することで、当該メモリーカードの費用を負担する情報提供者を決定することが出来、また、書込情報に応じて生成された電子チケットを受け取ることが出来る。
また、本発明は、情報提供者からの情報をユーザに配信する情報配信装置であって、前記情報提供者が発行する商品情報を、ユーザが有するメモリーカードに、通信端末装置を介して送信する送信手段を備えることを特徴とする情報配信装置である。
【００３１】
この構成によると、メモリーカードの費用を負担する情報提供者が発行する商品情報をメモリーカードに配信することによって、安価でメモリーカードをユーザに提供することが出来る。
ここで、前記情報配信装置は、前記メモリーカードから、受け取った前記商品情報を書き込んだことを示す書込情報を、前記通信端末装置を介して受け取ると、受け取った書込情報に応じて、通貨の代わりに用いられる電子チケットを生成し、前記送信手段は、前記電子チケットを前記通信端末装置を介して前記メモリーカードへセキュアに送信するようにしても良い。
【００３２】
この構成によると、書込情報によって電子チケットを生成するため、ユーザが商品情報を取り込むように促進することが出来る。
ここで、前記送信手段は、前記情報提供者の商品の価格を割り引くことを示すクーポン情報を含む前記商品情報を送信するようにしても良い。
この構成によると、情報配信装置は、商品の代金を割り引くことを示すクーポン情報をメモリーカードに配信することで、商品の宣伝効果を上げることが出来る。
【００３３】
ここで、前記情報配信装置は、前記クーポン情報が示す割引を実行する代金精算装置から、前記クーポン情報が示す割引を実行したことを示す実行情報を受け取ると、受け取った実行情報に応じて、通貨の代わりに用いられる電子チケットを生成し、前記送信手段は、前記電子チケットを前記通信端末装置を介して前記メモリーカードへセキュアに送信するようにしても良い。
【００３４】
この構成によると、情報配信装置は、実行情報に応じた電子チケットを送信することで、代金精算装置に、クーポン情報で商品の代金を割引した手数料を支払うことが出来る。
また、本発明は、商品の売買の際に代金の精算を行う代金精算装置であって、商品の代金を割り引くことを示すクーポン情報に含まれ、当該クーポン情報を発行する前記情報提供者を識別する第１情報提供者ＩＤを記憶している記憶手段と、前記クーポン情報を記憶しており、ユーザが有するメモリーカードから、通信端末装置を介して前記クーポン情報を受け取る受取手段と、受け取ったクーポン情報に含まれる第２情報提供者ＩＤが、前記第１情報提供者ＩＤと同一であるか判断する判断手段と、前記第２情報提供者ＩＤが、前記第１情報提供者ＩＤと同一である場合、前記受け取ったクーポン情報が示す割引を実行する実行手段とから構成されることを特徴とする代金精算装置である。
【００３５】
この構成によると、代金精算装置が、メモリーカードから受け取るクーポン情報が示す割引を行うことで、商品の販売が促進できる。
ここで、前記実行手段は、更に、前記クーポン情報が示す割引を実行したことを示す実行情報を、定期的に、前記クーポン情報を前記通信端末装置を介して前記メモリーカードに配信する情報配信装置に送り、前記受取手段は、前記情報配信装置から、前記実行情報に応じて生成された、通貨の代わりに用いられる電子チケットをセキュアに受け取り、前記記憶手段は、受け取った電子チケットを記憶するようにしても良い。
【００３６】
この構成によると、実行情報を送ることによって、情報配信装置から、商品の代金を割引した
ことに対する手数料を受け取ることが出来る。
【発明を実施するための最良の形態】
【００３７】
以下、本発明の実施の形態としての情報配信システムについて図面を用いて詳細に説明する。
１．  情報配信システム１７００の構成
情報配信システム１７００は図１に示すように、携帯電話１００、スポンサーカード２００、近距離無線装置３１０〜３３０、サーバ装置４００、スポンサーサーバ装置５１０〜５３０、レジ６０１〜１１０１、通信網１２００、基地局１３００、通信網１４００音楽配信サーバ装置１５００及び基地局１６００から構成される。
【００３８】
スポンサーサーバ装置５１０は、スポンサーＡの広告情報、クーポン情報及びディジタル署名データをサーバ装置４００、通信網１２００及び近距離無線装置３１０を介して携帯電話１００へ送信する。
携帯電話１００は、広告情報、クーポン情報及びディジタル署名データを受信し、クーポン情報をスポンサーカード２００へ書き込む。広告情報は携帯電話１００に表示される。
【００３９】
また、携帯電話１００は、クーポン情報をレジ６０１に送信する。レジ６０１は、クーポン情報を受け取ると、クーポン情報が示すサービスを実行する。
以下に、各構成について詳しく説明する。
１．１  スポンサーサーバ装置５１０，５２０，５３０
スポンサーサーバ装置５１０は、スポンサーＡの広告情報やクーポン情報等を記憶し、送信するサーバ装置であり、図２に示すように、送受信部５０１、制御部５０２、入力部５０３、表示部５０４及び情報記憶部５０５から構成される。
【００４０】
ここで、スポンサーＢ，Ｃの情報を扱うスポンサーサーバ装置５２０，５３０は、スポンサーサーバ装置５１０と同様の構成のため、説明を省略する。
この装置は、具体的には、マイクロプロセッサ、ＲＯＭ、ＲＡＭ、ハードディスクユニット、ディスプレィユニット、キーボード、マウスなどから構成されるコンピュータシステムである。
【００４１】
前記ＲＡＭ又は前記ハードディスクユニットには、コンピュータプログラムが記憶されている。前記マイクロプロセッサが、前記コンピュータプログラムに従って動作することにより、前記装置は、その機能を達成する。
以下に各構成について説明する。
（１）情報記憶部５０５
情報記憶部５０５は、スポンサーＡを識別するスポンサーＩＤ、広告情報及びクーポン情報を記憶している。広告情報は、スポンサーＡやスポンサーＡが直営又は提携している店舗についての広告である。クーポン情報は、スポンサーＡが直営又は提携している店舗で利用可能な割引サービス等が示されている情報である。クーポン情報にはクーポン情報を識別するクーポンＩＤが付されている。
【００４２】
また、情報記憶部５０５は、利用回数集計表５０７及び電子チケット対応表５０８を備える。利用回数集計表５０７は、各レジを識別するレジＩＤと当該レジでクーポン情報が利用された回数を示す利用回数とを対応付けて記憶する。電子チケット対応表５０８は、利用回数と電子チケットを対応付けて記憶する。電子チケットは、利用回数に応じた手数料であり、通貨の代わりとしての機能を持つ。
（２）入力部５０３
入力部５０３は、外部からの入力を受け付ける。入力部５０３は、クーポンＩＤの入力を受け付けると、制御部５０２に送る。
（３）署名部５０６
署名部５０６は、スポンサーＡの秘密鍵を有する。
【００４３】
制御部５０２からクーポンＩＤを受け取ると、情報記憶部５０５から受け取ったクーポンＩＤが付されたクーポン情報を読み出す。読み出したクーポン情報にディジタル署名アルゴリズムＳを施して、ディジタル署名データを生成する。
ここで、ディジタル署名アルゴリズムＳは、一例として、有限体上の離散対数問題を安全性の根拠とするＥｌＧａｍａｌ署名方式に基づくものである。この有限体上のＥｌＧａｍａｌ署名方式については、公知であるので説明を省略する。
【００４４】
署名部５０６は、生成したディジタル署名データを制御部５０２に出力する。
（４）制御部５０２
制御部５０２は、入力部５０３が入力を受け付けたクーポンＩＤを受け取ると、受け取ったクーポンＩＤを署名部５０６に送る。
制御部５０２は、署名部５０６からディジタル署名データを受け取ると、情報記憶部５０５からスポンサーＩＤ、受け取ったクーポンＩＤが付されたクーポン情報及び広告情報を読み出し、ディジタル署名データ、スポンサーＩＤ、広告情報及びクーポン情報を送受信部５０１を介してサーバ装置４００に送信する。
【００４５】
制御部５０２は、送受信部５０１を介してレジ６０１及び７０１からレジＩＤとクーポン情報の利用回数とを受信すると、利用回数集計表５０７にレジＩＤと利用回数とを対応付けて書き込む。また、電子チケット対応表５０８から利用回数に対応する電子チケットを読み出し、読み出した電子チケットをレジＩＤが識別するレジに送信する。
（５）表示部５０４
制御部５０２の指示に従って、データを表示する。
【００４６】
１．２  サーバ装置４００
サーバ装置４００は図３に示すように、情報を送受信する送受信部４０１、制御部４０２、制御部４０２の指示に従って情報を表示する表示部４０３、外部からの入力を受け付ける入力部４０４及び情報記憶部４０５から構成される。
この装置は、具体的には、マイクロプロセッサ、ＲＯＭ、ＲＡＭ、ハードディスクユニット、ディスプレィユニット、キーボード、マウスなどから構成されるコンピュータシステムである。
【００４７】
前記ＲＡＭ又は前記ハードディスクユニットには、コンピュータプログラムが記憶されている。前記マイクロプロセッサが、前記コンピュータプログラムに従って動作することにより、前記装置は、その機能を達成する。
以下に各構成について説明する。
（１）情報記憶部４０５
情報記憶部４０５は、スポンサー領域４０６とユーザ領域４０７と電子チケット対応表４０８とを備える。
【００４８】
スポンサー領域４０６は、スポンサーサーバ装置５１０〜５３０から受信する情報をそれぞれ記憶する領域である。各領域はスポンサーＩＤによって区別され、各スポンサーの広告情報、クーポン情報及びディジタル署名データと、各スポンサーの傘下にある近距離無線装置を識別する近距離無線装置ＩＤを記憶する。
ユーザ領域４０７は、ユーザＩＤとスポンサーＩＤと書き込み回数とを対応付けて記憶する領域である。ユーザＩＤはスポンサーカード２００を有するユーザを特定するものであり、ユーザが所有する携帯電話１００の電話番号で表される。書き込み回数は、スポンサーカード２００に各スポンサーのクーポン情報が書き込まれた回数である。ユーザＩＤ、スポンサーＩＤ及び書き込み回数は、携帯電話１００から受信する。
【００４９】
電子チケット対応表４０８は、書き込み回数と電子チケットを対応付けて記憶している。電子チケットは、書込み回数に応じて、スポンサーカード２００を容量の多い別のカードに交換したり、スポンサーカード２００とは別の新しいカードを取得したりすることに使用できることを示すチケットである。
（２）制御部４０２
制御部４０２は、送受信部４０１を介してスポンサーサーバ装置５１０からスポンサーＩＤ、広告情報、クーポン情報及びディジタル署名データを受け取ると、受け取った情報をスポンサー領域４０６の、受け取ったスポンサーＩＤに区別される領域に書き込む。スポンサーサーバ装置５２０、５３０から受信する情報も同様に処理する。
【００５０】
制御部４０２は１日１回、情報記憶部４０５から各スポンサーＩＤ、広告情報、クーポン情報、ディジタル署名データ及び近距離無線装置ＩＤを読み出し、読み出した近距離無線装置ＩＤが示す各近距離無線装置へ、スポンサーＩＤ、広告情報、クーポン情報及びディジタル署名データを、送受信部４０１を介して順に送信する。
制御部４０２は、携帯電話１００から、基地局１６００、通信網１２００を経由し、送受信部４０１を介して書き込み回数及びユーザＩＤを受信すると、受信した書き込み回数とユーザＩＤとをユーザ領域に書き込む。また、ユーザ領域４０７からユーザＩＤ及び書き込み回数を読み出し、電子チケット対応表４０８から、読み出した書き込み回数に対応する電子チケットを読み出し、読み出した電子チケットを、ユーザＩＤが示す携帯電話に送信する。読み出した電子チケットと同額の電子チケットを、情報記憶部４０５に記憶している電子チケットから減額する。
【００５１】
１．３  近距離無線装置３１０，３２０，・・・，３３０
近距離無線装置３１０は、スポンサーＡの傘下にある近距離無線装置である。
近距離無線装置３１０は、到達距離が約１０m、使用周波数が２．４GHz、データ送信速度は約１MbpsのBluetoothの規格を用いて通信する装置であり、機器同士が通信する際に認証等を行い、スポンサーＡの広告情報やクーポン情報等を繰り返し送信する。
【００５２】
なお、近距離無線の規格はBluetoothに限定されず、近距離で情報の送受信が安全に行えるものであれば、如何なる規格を用いても良い。また、Bluetoothの規格では、認証等を行うが、本発明の主題ではないので省略する。
他の近距離無線装置３２０〜３３０も同様の、近距離無線装置であり、スポンサーＡ，Ｂ，Ｃ何れかの傘下にある。
【００５３】
近距離無線装置３１０は図４に示すように、近距離無線用アンテナ３０１、近距離無線用送受信部３０２、制御部３０３、情報記憶部３０４及び送受信部３０５から構成される。
ここで、近距離無線装置３２０〜３３０は、近距離無線装置３１０と同様の構成のため、説明を省略する。
【００５４】
以下に各構成について説明する。
（１）情報記憶部３０４
情報記憶部３０４は、スポンサーＡのスポンサーＩＤ、広告情報、クーポン情報及びディジタル署名データを記憶するスポンサー領域を備える。
（２）制御部３０３
制御部３０３は、送受信部３０５を介してサーバ装置４００からスポンサーＡのスポンサーＩＤ、広告情報、クーポン情報及びディジタル署名データを受信すると、受け取った情報を情報記憶部３０４に書き込む。
【００５５】
制御部３０３は、情報記憶部３０４からスポンサーＩＤ、広告情報、クーポン情報及びディジタル署名データを読み出し、読み出したスポンサーＩＤ、広告情報、クーポン情報及びディジタル署名データを、近距離無線用送受信部３０２から近距離無線用アンテナ３０１を介して繰り返し送信する。
１．４  携帯電話１００
ユーザが所有する携帯電話１００は図５に示すように、アンテナ１０１、送受信部１０２、制御部１０３、表示部１０４、マイク１０５、入力部１０６、スピーカ１０７、情報記憶部１０８、近距離無線用アンテナ１０９、近距離無線用送受信部１１０及びインターフェース１１１から構成され、インターフェース１１１にスポンサーカード２００を接続している。
【００５６】
以下に各構成について説明する。
（１）情報記憶部１０８
情報記憶部１０８は、近距離無線装置３１０からクーポン情報を受信したことをユーザに知らせるクーポン情報取得メッセージを記憶している。
（２）制御部１０３
制御部１０３は、音楽配信サーバ装置１５００から音楽情報、近距離無線装置３１０からスポンサーＩＤ、広告情報、クーポン情報及びディジタル署名データ、スポンサーカード２００から広告情報、書き込み回数及びユーザＩＤ、スポンサーＩＤ及びクーポン情報、入力部１０６からクーポンＩＤを受け取る。
【００５７】
制御部１０３は、送受信部１０２及びアンテナ１０１、基地局１３００及び通信網１４００を介して、音楽配信サーバ装置１５００から音楽情報を取得すると、取得した音楽情報を、インターフェース１１１を介してスポンサーカード２００に送る。
また、制御部１０３は、近距離無線用アンテナ１０９及び近距離無線用送受信部１１０を介して、近距離無線装置３１０から、スポンサーＩＤ、広告情報、クーポン情報及びディジタル署名データを受信すると、受信したスポンサーＩＤ、広告情報、クーポン情報及びディジタル署名データを、インターフェース１１１を介してスポンサーカード２００に送る。
【００５８】
スポンサーカード２００から、インターフェース１１１を介して広告情報を受け取ると、情報記憶部１０８から、クーポン情報取得メッセージを読み出し、読み出したクーポン情報取得メッセージと受け取った広告情報とを表示部１０４に表示させる。また、書き込み回数及びユーザＩＤを受け取ると、受け取った書き込み回数及びユーザＩＤを送受信部１０２及びアンテナ１０１を介してサーバ装置４００に送信する。
【００５９】
制御部１０３は、入力部１０６から、クーポンＩＤの入力を受け付けると、入力されたクーポンＩＤが付されているクーポン情報と、当該クーポン情報を発行したスポンサーを識別するスポンサーＩＤとを読み出すことを示す指示を、インターフェース１１１を介してスポンサーカード２００に送る。
スポンサーカード２００からスポンサーＡのスポンサーＩＤ及びクーポン情報を受け取ると、受け取ったスポンサーＩＤ及びクーポン情報を、近距離無線用送受信部１１０及び近距離無線用アンテナ１０９を介してレジ６０１に送信する。
【００６０】
制御部１０３は、アンテナ１０１及び送受信部１０２を介してサーバ装置４００から電子チケットを受け取ると、インターフェース１１１を介してスポンサーカード２００へ送る。
（３）入力部１０６
入力部１０６は、外部からの入力を受け付ける。
【００６１】
入力部１０６は、クーポンＩＤの入力を受け付けると、制御部１０３に送る。
（４）表示部１０４
表示部１０４は、制御部１０３の指示に従って、情報を表示する。表示部１０４は、制御部１０３からクーポン情報取得メッセージを受け取り表示する。
（５）マイク１０５
マイク１０５は、外部からの音声の入力を受け付ける。
（６）スピーカ１０７
スピーカ１０７は、制御部１０３の指示に従って、音声を再生する。
【００６２】
１．５  スポンサーカード２００
スポンサーカード２００は図６に示すように、制御部２０１、情報記憶部２０２及び検証部２０３から構成される、可搬型の半導体メモリーカードである。
このスポンサーカード２００は、スポンサーＡ及びＢからカード提供業者に対して、スポンサーカード２００の費用の一部又は全額に相当する料金が支払われ、ユーザに安価で提供される。
【００６３】
この装置は、具体的には、マイクロプロセッサ、ＲＯＭ、ＲＡＭなどから構成されるコンピュータシステムである。
前記ＲＡＭ又は、コンピュータプログラムが記憶されている。前記マイクロプロセッサが、前記コンピュータプログラムに従って動作することにより、前記装置は、その機能を達成する。
【００６４】
以下に各構成について説明する。
（１）情報記憶部２０２
情報記憶部２０２は、スポンサーカード２００を有するユーザを特定するユーザＩＤを記憶している。
また、電子チケットを記憶する領域を備えている。
【００６５】
情報記憶部２０２は、スポンサーＡ及びＢのクーポン情報を記憶するための領域であるスポンサーエリア２０４と、ユーザが自由に利用できる領域であるユーザエリア２０５とを備えている。
ユーザエリア２０５は、音楽、画像、映像等を記録することが出来る。また、ユーザは、スポンサーカード２００を携帯電話１００から取り外し、スポンサーカード２００を接続して利用可能な他の機器に接続し、音楽、画像、映像等を利用することが出来る。
【００６６】
クーポン情報は、クーポン情報に付されているクーポンＩＤによって識別される。
また、情報記憶部２０２は、各スポンサーのクーポン情報をスポンサーエリア２０４に書き込んだ書き込み回数を記憶している。
（２）検証部２０３
検証部２０３は、スポンサーＡ及びＢそれぞれのスポンサーＩＤとそれぞれの公開鍵とを有している。スポンサーＡの公開鍵はスポンサーＡの秘密鍵を用いて、公開鍵生成アルゴリズムに基づいて生成される。前記公開鍵生成アルゴリズムは、ＥｌＧａｍａｌ署名方式に基づくものである。スポンサーAからカード提供業者に対して、スポンサーカード２００の費用の一部に相当する料金が支払われると、カード提供業者は、費用負担の代わりとして、スポンサーカード２００にスポンサーAの公開鍵を書き込む。また、スポンサーＢの公開鍵も同様に、スポンサーＢの秘密鍵を用いて生成されたものであり、スポンサーＢが費用の一部を負担する代わりとしてスポンサーカード２００に書き込まれる。
【００６７】
なお、スポンサーカードの費用は、１以上のスポンサーが全額負担するとしても良い。
検証部２０３は、制御部２０１からスポンサーＩＤ、クーポン情報及びディジタル署名データを受け取ると、検証部２０３が有しているスポンサーＡ及びＢのスポンサーＩＤを取り出し、受け取ったスポンサーＩＤが、取り出した何れかのスポンサーＩＤと一致するか否か検証する。
【００６８】
受け取ったスポンサーＩＤが取り出した何れかのスポンサーＩＤと一致する場合、スポンサーの公開鍵のうち、受け取ったスポンサーＩＤと一致した方のスポンサーＩＤに識別されるスポンサーの公開鍵を取り出す。取り出した公開鍵を用いて受け取ったディジタル署名データに署名検証Ｖを施して、成功か失敗かを出力する。
ここで、署名検証Ｖは、前記ディジタル署名アルゴリズムＳにより生成された署名データを検証するアルゴリズムである。
【００６９】
成功の場合、スポンサーエリア２０４に既に書き込まれているクーポン情報に付されているクーポンＩＤに、受け取ったクーポンＩＤと同じものがあるか否か検証する。
検証部２０３は、同じものがなければ検証結果として書き込み許可を制御部２０１に出力する。スポンサーＩＤが一致しない場合と、署名検証の結果が失敗の場合と、既に書き込まれているクーポンＩＤに受け取ったクーポンＩＤと同じものがある場合とは、検証結果として書き込み不可を制御部２０１に出力する。
（３）制御部２０１
制御部２０１は、携帯電話１００から音楽情報及びスポンサーＩＤ、広告情報、クーポン情報及びディジタル署名データを受け取る。
【００７０】
音楽情報を受け取ると、受け取った音楽情報はユーザエリア２０５に書き込む。
スポンサーＩＤ、広告情報、クーポン情報及びディジタル署名データを受け取ると、受け取った中からスポンサーＩＤ、クーポン情報及びディジタル署名データを抽出し、検証部２０３に送る。
制御部２０１は、検証部２０３から検証結果を受け取る。受け取った検証結果が書き込み許可の場合、スポンサーエリア２０４にクーポン情報を書き込む。また、書き込み回数に１を加え、携帯電話１００に広告情報を送る。受け取った検証結果が書き込み不可の場合、クーポン情報は書き込まない。
【００７１】
また、制御部２０１は、各スポンサーの書き込み回数、ユーザＩＤ及びスポンサーＩＤを１ヶ月に１回、スポンサーエリア２０４から読み出し、携帯電話１００に送る。情報記憶部２０２の書き込み回数は０にする。
制御部２０１は、携帯電話１００からクーポンＩＤと当該クーポンＩＤが付されているクーポン情報と、クーポン情報を発行したスポンサーを識別するスポンサーＩＤとを読み出すことを示す指示を受けると、指示されたクーポン情報及びスポンサーＩＤをスポンサーエリア２０４から読み出し、読み出したクーポン情報及びスポンサーＩＤを携帯電話１００に出力する。
【００７２】
制御部２０１は、電子チケットを受け取ると、情報記憶部２０２に書き込む。
１．６  レジ６０１，７０１
レジ６０１及び７０１は、スポンサーＡが直営又は提携している店舗であるショップ６００及び７００の店舗内に設置されている。同様に、レジ８０１〜１１０１は、スポンサーＢ及びＣが直営又は提携している店舗であるショップ８００〜１１００の店舗に設置されている。
【００７３】
レジ６０１は図６に示すように、近距離無線用アンテナ６０２、近距離無線用送受信部６０３、制御部６０４、情報記憶部６０５、入力部６０６、表示部６０７、送受信部６０８及び検証部６０９から構成される。
ここで、レジ７０１〜１１０１はレジ６０１と同様の構成のため、説明を省略する。
以下に各構成について説明する。
（１）情報記憶部６０５
情報記憶部６０５は、スポンサーＡのスポンサーＩＤ及びスポンサーＡが発行した各クーポン情報に付されているクーポンＩＤを記憶している。また、レジ６０１を識別するレジＩＤを記憶している。
【００７４】
情報記憶部６０５は、クーポン情報が示すサービスを実行する回数を利用回数として記憶する。
また、電子チケットを記憶する領域を備える。
情報記憶部６０５は、検証部６０９の検証結果によって、クーポン情報のサービスが受けられないことを知らせるクーポン情報利用不可メッセージを記憶している。
（２）検証部６０９
検証部６０９は、制御部６０４からクーポンＩＤ及びスポンサーＩＤを受け取ると、情報記憶部６０５に記憶しているスポンサーＩＤ及びクーポンＩＤを読み出す。受け取ったスポンサーＩＤが読み出したスポンサーＩＤと一致するか否かを検証する。一致する場合、受け取ったクーポンＩＤが読み出したクーポンＩＤと一致するか否かを検証する。受け取ったクーポンＩＤが読み出したクーポンＩＤと一致する場合、検証結果として利用許可を制御部６０４へ出力する。受け取ったスポンサーＩＤが読み出したスポンサーＩＤと一致しない場合と、受け取ったクーポンＩＤが読み出したクーポンＩＤと一致しない場合とは、検証結果として利用不可を制御部６０４へ出力する。
（３）制御部６０４
制御部６０４は、携帯電話１００からクーポンＩＤが付されているクーポン情報及びスポンサーＩＤを、近距離無線用アンテナ６０２及び近距離無線用送受信部６０３を介して受信すると、受信したスポンサーＩＤ及びクーポンＩＤを検証部６０９へ送る。
【００７５】
制御部６０４は、検証部２０３から検証結果を受け取る。受け取った検証結果が利用不可の場合、情報記憶部６０５からクーポン情報のサービスが受けられないことを知らせるクーポン情報利用不可メッセージを読み出し、読み出したメッセージを表示部６０７に表示させる。また、受け取った検証結果が、利用許可の場合、制御部６０４は、クーポン情報が示すサービスを実行し、情報記憶部６０５に記憶しているクーポン情報の利用回数に１を加える。
【００７６】
制御部６０４は、１ヶ月に１度、情報記憶部６０５に記憶している利用回数とレジ６０１に固有のレジＩＤとを読み出して、送受信部６０８を介してスポンサーサーバ装置５１０に送信する。
スポンサーサーバ装置５１０から、利用回数に応じた手数料としての電子チケットを受け取ると、情報記憶部６０５に記憶する。
（３）入力部６０６
入力部６０６は、外部からの入力を受け付ける。
（４）表示部６０７
表示部６０７は、制御部６０４の指示に従って、情報を表示する。
【００７７】
１．７  情報配信システムの動作
（１）スポンサーカード２００に、スポンサーの情報を送る際の動作を、図８〜１１を参照して説明する。
スポンサーサーバ装置５１０の制御部５０２は、入力部５０３から情報を送信する指示の入力を受け付けると（ステップＳ１）、署名部５０６にディジタル署名データを生成するように指示を送る（ステップＳ２）。
【００７８】
署名部５０６は、情報記憶部５０５からクーポン情報を読み出し（ステップＳ３）、秘密鍵を用いて読み出したクーポン情報に対するディジタル署名データを生成する（ステップＳ４）。生成したディジタル署名データは、制御部５０２へ出力する（ステップＳ５）。
制御部５０２は、ディジタル署名データを受け取ると、情報記憶部５０５からスポンサーＩＤ、広告情報及びクーポン情報を読み出し（ステップＳ６）、読み出したスポンサーＩＤ、広告情報及びクーポン情報と、ディジタル署名データとを送受信部５０１を介してサーバ装置４００へ送信する（ステップＳ７）。
【００７９】
サーバ装置４００の制御部４０２は、送受信部４０１を介してスポンサーＩＤ、広告情報、クーポン情報及びディジタル署名データを受け取ると、受け取った情報を情報記憶部４０５内の受け取ったスポンサーＩＤが示す領域に書き込む（ステップＳ８）。
制御部４０２は、定期的にスポンサーＩＤ、広告情報、クーポン情報及びディジタル署名データを読み出し（ステップＳ９）、送受信部４０１を介して近距離無線装置３１０へ送信する（ステップＳ１０）。
【００８０】
近距離無線装置３１０の制御部３０３は、送受信部３０５を介してスポンサーＩＤ、広告情報、クーポン情報及びディジタル署名データを受信すると、情報記憶部３０４に書き込む（ステップＳ１１）。
制御部３０３は、スポンサーＩＤ、広告情報、クーポン情報及びディジタル署名データを定期的に読み出し（ステップＳ１２）、読み出した情報を近距離無線用送受信部３０２及び近距離無線用アンテナ３０１を介して送信する（ステップＳ１３）。
【００８１】
携帯電話１００の制御部１０３は、近距離無線用アンテナ１０９及び近距離無線用送受信部１１０を介して、スポンサーＩＤ、広告情報、クーポン情報及びディジタル署名データを受信すると、受信した情報をインターフェース１１１を介してスポンサーカード２００へ送る（ステップＳ１４）。
スポンサーカード２００の制御部２０１は、受け取った情報からスポンサーＩＤ、クーポン情報及びディジタル署名データを抽出し（ステップＳ１５）、抽出したものを検証部２０３に送る（ステップＳ１６）。検証部２０３は、スポンサーＡ及びＢのスポンサーＩＤを取り出し（ステップＳ１７）、受け取ったスポンサーＩＤが取り出した何れかのスポンサーＩＤと一致するか検証する（ステップＳ１８）。一致する場合は（ステップＳ１８でＹｅｓ）、一致した方のスポンサーＩＤが識別するスポンサーの公開鍵を取り出し（ステップＳ１９）、取り出した公開鍵を用いて受け取ったディジタル署名データの署名検証をする（ステップＳ２０）。署名検証の結果、成功であるか判断し、（ステップＳ２１）。成功の場合は（ステップＳ２１でＹｅｓ）、情報記憶部２０２に既に書き込まれているクーポン情報のクーポンＩＤに、受け取ったクーポン情報のクーポンＩＤと同じものがあるか検証する（ステップＳ２２）。同じものがない場合（ステップＳ２２でＮｏ）、検証結果として書き込み許可を制御部２０１に出力する（ステップＳ２３）。
【００８２】
受け取ったスポンサーＩＤが取り出したスポンサーＩＤと一致しない場合（ステップＳ１８でＮｏ）と、署名検証の結果が成功でない場合（ステップＳ２１でＮｏ）と、受け取ったクーポンＩＤが既に書き込まれている場合（ステップＳ２２でＹｅｓ）とは、検証結果として書き込み不可を制御部２０１に出力する（ステップＳ２４）。
制御部２０１が受け取った検証結果が、書き込み許可の場合、制御部２０１は、クーポン情報を情報記憶部２０２のスポンサーエリア２０４に書き込み（ステップＳ２５）、書き込み回数に１を加える（ステップＳ２６）。制御部２０１は、携帯電話１００に広告情報を送る（ステップＳ２７）。
【００８３】
制御部１０３は、インターフェース１１１を介して広告情報を受け取ると、クーポン情報取得メッセージを情報記憶部１０８から読み出し（ステップＳ２８）、読み出したメッセージ及び受け取った広告情報を表示部１０４に表示させる（ステップＳ２９）。
（２）クーポン情報をショップ６００で利用するときの動作を、図１２，１３を参照して説明する。
【００８４】
携帯電話１００の制御部１０３は、入力部１０６からクーポン情報読み出しを指示する入力を受け付けると（ステップＳ３０）、スポンサーＩＤと、クーポン情報を読み出すことを示す指示とをスポンサーカード２００に送る（ステップＳ３１）。
制御部２０１は、情報記憶部２０２からスポンサーＩＤ及びクーポンＩＤを付されたクーポン情報を読み出し（ステップＳ３２）、読み出したスポンサーＩＤ及びクーポン情報を携帯電話１００に送る（ステップＳ３３）。
【００８５】
制御部１０３は、スポンサーＩＤ及びクーポン情報を受け取ると、受け取ったスポンサーＩＤ及びクーポン情報を、近距離無線用送受信部１１０及び近距離無線用アンテナ１０９を介してレジ６０１へ送信する（ステップＳ３４）。
レジ６０１の制御部６０４は、スポンサーＩＤ及びクーポン情報を受信すると、クーポンＩＤを抽出し（ステップＳ３５）、受信したスポンサーＩＤ及び抽出したクーポンＩＤを検証部６０９へ送る（ステップＳ３６）。
【００８６】
検証部６０９は、スポンサーＩＤ及びクーポンＩＤを受け取ると、情報記憶部６０５に記憶しているスポンサーＩＤ及びクーポンＩＤを読み出す（ステップＳ３７）。検証部６０９は、受け取ったスポンサーＩＤと読み出したスポンサーＩＤが一致するか否か検証し（ステップＳ３８）、一致する場合（ステップＳ３８でＹｅｓ）、受け取ったクーポンＩＤと読み出したクーポンＩＤが一致するか否か検証する（ステップＳ３９）。一致する場合（ステップＳ３９でＹｅｓ）、検証結果として利用許可を制御部６０４に出力する（ステップＳ４０）。受け取ったスポンサーＩＤと読み出したスポンサーＩＤが一致しない場合（ステップＳ３８でＮｏ）と、受け取ったクーポンＩＤと読み出したクーポンＩＤとが一致しない場合（ステップＳ３９でＮｏ）とは、検証結果として利用不可を制御部６０４に出力する（ステップＳ４１）。
【００８７】
制御部６０４は、受け取った検証結果が利用許可の場合、クーポン情報が示すサービスを実行し（ステップＳ４２）、利用回数に１を加える（ステップＳ４３）。受け取った検証結果が利用不可の場合、情報記憶部６０５からクーポン情報が利用出来ないことを知らせるクーポン情報利用不可メッセージを読み出し（ステップＳ４４）、読み出したメッセージを表示部６０７に表示させる（ステップＳ４５）。
（３）クーポン情報の書き込み回数をサーバ装置４００に送信するときの動作を、図１４を参照して説明する。
【００８８】
スポンサーカード２００の制御部２０１は、書き込み回数及びユーザＩＤを読み出し（ステップＳ４６）、読み出した書き込み回数及びユーザＩＤを携帯電話１００に送る（ステップＳ４７）。
携帯電話１００の制御部１０３は、インターフェース１１１を介して、書き込み回数及びユーザＩＤを受け取り、送受信部１０２及びアンテナ１０１を介してサーバ装置４００に送信する（ステップＳ４８）。
【００８９】
サーバ装置４００の制御部４０２は、書き込み回数及びユーザＩＤを受信すると、ユーザＩＤと書き込み回数を対応付けて情報記憶部４０５に書き込む（ステップＳ４９）。
制御部４０２は、ユーザ領域４０７からユーザＩＤ及び書き込み回数を読み出し（ステップＳ５０）、電子チケット対応表４０８から読み出した書き込み回数に対応する電子チケットを読み出し（ステップＳ５１）、読み出した電子チケットをユーザＩＤが示す携帯電話へ、送受信部４０１を介して送信する（ステップＳ５２）。
【００９０】
制御部１０３は、アンテナ１０１及び送受信部１０２を介して電子チケットを受け取ると、スポンサーカード２００に送り（ステップＳ５３）、制御部２０１は、電子チケットを受け取ると、受け取った電子チケットをスポンサーエリアに書き込む（ステップＳ５４）。
（４）レジ６０１がスポンサーサーバ装置５１０に利用回数を送信するときの動作を、図１５を参照して説明する。
【００９１】
レジ６０１の制御部６０４は、情報記憶部６０５から利用回数及びレジＩＤを読み出し（ステップＳ５０）、読み出した利用回数及びレジＩＤをスポンサーサーバ装置５１０へ送信する（ステップＳ５１）。
スポンサーサーバ装置５１０の制御部５０２は、利用回数及びレジＩＤを受信すると、レジＩＤと利用回数とを対応付けて情報記憶部５０５に書き込む（ステップＳ５２）。
【００９２】
制御部５０２は、利用回数集計表５０７からレジＩＤ及び利用回数を読み出し（ステップＳ５８）、電子チケット対応表５０８から読み出した利用回数に対応する電子チケットを読み出す（ステップＳ５９）。読み出した電子チケットを、レジＩＤが示すレジに送受信部５０１を介して送信する（ステップＳ６０）。
制御部６０４は、送受信部４０１を介して電子チケットを受け取ると、情報記憶部６０５に書き込む（ステップＳ６１）。
２．その他の変形例
なお、本明細書での商品は、株や先物取引、サービス等の概念が含まれる。
【００９３】
また、本発明を上記の実施の形態に基づいて説明してきたが、本発明は、上記の実施の形態に限定されないのはもちろんである。以下のような場合も本発明に含まれる。
（１）ディジタル署名データを生成する場合、広告情報の一部又は全体に対するディジタル署名データ若しくはクーポン情報の一部に対してのディジタル署名データを生成する。
（２）スポンサーカード２００は、情報記憶部２０２にクーポン情報を記憶する際、広告情報を、携帯電話１００へ送って表示させ、情報記憶部２０２に書き込み記憶する。
【００９４】
携帯電話１００の制御部１０３がクーポン情報を読み出す際、広告情報も読み出され、制御部１０３は、表示部１０４にクーポン情報を表示する際、広告情報も表示させる。
（３）近距離無線装置３１０は、広告情報及びクーポン情報を送信する前に、スポンサーＩＤのみを送信する。
携帯電話１００の制御部１０３は、近距離無線用アンテナ１０９及び近距離無線用送受信部１１０を介して、スポンサーＩＤを受信すると、受信したスポンサーＩＤをインターフェース１１１からスポンサーカード２００へ送る。
【００９５】
スポンサーカード２００の制御部２０１は、スポンサーＩＤを受け取ると、受け取ったスポンサーＩＤを検証部２０３へ送る。
検証部２０３は、スポンサーＩＤを受け取ると、スポンサーＡ及びＢのスポンサーＩＤを取り出し、受け取ったスポンサーＩＤがスポンサーＡ及びＢの何れかのスポンサーＩＤと一致するか否か検証する。一致しない場合は、広告情報及びクーポン情報を受信しない。何れかのスポンサーＩＤと一致する場合は、広告情報及びクーポン情報を受信するように制御部１０３に指示する。
【００９６】
制御部１０３は、近距離無線装置３１０からクーポン情報及び広告情報を受信する。受信すると、情報記憶部１０８からクーポン情報を受信したことを知らせるメッセージを読み出し、読み出したメッセージ及び広告情報を、表示部１０４に表示さる。クーポン情報は、インターフェース１１１からスポンサーカード２００に送る。
制御部２０１は、受け取ったクーポン情報を情報記憶部２０２のスポンサーエリア２０４に書き込む。
（４）上記（３）の様に、広告情報及びクーポン情報を受信する前に、スポンサーカード２００のスポンサーであるか検証する構成の場合、以下のようにしても良い。
【００９７】
スポンサーカード２００の検証部２０３は、スポンサーの公開鍵ＰＫ#Ａを有する。
近距離無線装置３１０は、更に、署名部を備え、署名部は、スポンサーの秘密鍵ＳＫ#Ａを有する。
制御部３０３は、スポンサーＩＤ、広告情報及びクーポン情報を送信する前に、近距離無線用送受信部３０２及び近距離無線用アンテナ３０１を介して認証要求を送信する。
【００９８】
携帯電話１００の制御部１０３は、近距離無線用アンテナ１０９及び近距離無線用送受信部１１０を介して、認証要求を受信し、受信した認証要求をインターフェース１１１からスポンサーカード２００へ送る。
スポンサーカード２００の制御部２０１は、認証要求を受け取ると、検証部２０３に乱数Ｃｈａを生成させ、検証部２０３が生成したＣｈａを携帯電話１００に送る。携帯電話１００の制御部１０３は、近距離無線用送受信部１１０及び近距離無線用アンテナ１０９を介して、乱数Ｃｈａを近距離無線装置３１０に送信する。
【００９９】
制御部３０３は、乱数Ｃｈａを受信すると、署名部に送る。署名部は、ＳＫ#Ａを用いて受け取った乱数Ｃｈａに対するディジタル署名データＳＩＧを生成し、生成したＳＩＧを携帯電話１００に送信する。
制御部１０３は、近距離無線用アンテナ１０９及び近距離無線用送受信部１１０を介して受け取ったＳＩＧをスポンサーカード２００へ送る。
【０１００】
制御部２０１は、ＳＩＧを受け取り、受け取ったＳＩＧを検証部２０３に送る。検証部２０３はＰＫ#Ａを用いて、受け取ったＳＩＧを検証する。検証結果が成功か失敗かを制御部２０１に出力する。
制御部３０３は、検証結果が成功の場合、携帯電話１００に、受信許可の指示を送る。検証結果が失敗の場合は、受信しない。
【０１０１】
以下、（３）と同様にクーポン情報及び広告情報を取得する。
（５）上記（４）の構成では、スポンサーＡの情報を送信する近距離無線装置３１０は、全て同じスポンサーＡの秘密鍵を保持しているが、以下のようにしても良い。
スポンサーサーバ装置５１０の署名部５０６は、スポンサーＡの秘密鍵ＳＫ#Ａ及び近距離無線装置３１０の公開鍵ＰＫ#Ｈを有する。
【０１０２】
近距離無線装置３１０は、署名部に近距離無線装置３１０の秘密鍵ＳＫ#Ｈを有する。
スポンサーカード２００は、検証部２０３にスポンサーＡの公開鍵ＰＫ#Ａを有する。
スポンサーサーバ装置５１０の署名部５０６は、ＳＫ#Ａを用いてＰＫ#Ｈに対するディジタル署名データＣｅｒｔ#Ｈを生成し、制御部５０２に出力する。制御部５０２は、ＰＫ#Ｈ及び署名部５０６で生成したＣｅｒｔ#Ｈを、送受信部５０１を介して近距離無線装置３１０に送信する。
【０１０３】
近距離無線装置３１０の制御部３０３は、送受信部３０５を介してＰＫ#Ｈ及びＣｅｒｔ#Ｈを受信し、受信したＰＫ#Ｈ及びＣｅｒｔ#Ｈを情報記憶部３０４に書き込む。
制御部３０３は、携帯電話１００と通信する際、情報記憶部３０４からＰＫ#Ｈ及びＣｅｒｔ#Ｈを読み出し、近距離無線用送受信部３０２及び近距離無線用アンテナ３０１を介して送信する。
【０１０４】
携帯電話１００の制御部１０３は、近距離無線用アンテナ１０９及び近距離無線用送受信部１１０を介してＰＫ#Ｈ及びＣｅｒｔ#Ｈを受信すると、スポンサーカード２００に送る。
スポンサーカード２００の制御部２０１は、ＰＫ#Ｈ及びＣｅｒｔ#Ｈを受け取ると、受け取ったＰＫ#Ｈ及びＣｅｒｔ#Ｈを検証部２０３に送る。検証部２０３は、ＰＫ#Ａを取り出し、取り出したＰＫ#Ａを用いて、Ｃｅｒｔ#Ｈを検証し、成功か失敗かを制御部２０１に出力する。
【０１０５】
制御部２０１は、検証結果が成功の場合は広告情報及びクーポン情報を受信するよう携帯電話１００に指示する。検証結果が失敗の場合は、受信しない。
（６）上記（４）、（５）は、公開鍵暗号を用いた方式であるが、近距離無線装置３１０とスポンサーカード２００とが、同じ共通鍵を共有して認証することが出来る。
近距離無線装置３１０の制御部３０３は署名部を備え、署名部及びスポンサーカード２００の検証部２０３は、共通鍵Ｋｃ#Ａを有する。
【０１０６】
近距離無線装置３１０が携帯電話１００と通信する際、制御部３０３は、近距離無線用送受信部３０２及び近距離無線用アンテナ３０１を介して、携帯電話１００に認証要求を送信する。
携帯電話１００の制御部１０３は、近距離無線用アンテナ１０９及び近距離無線用送受信部１１０を介して認証要求を受信し、インターフェース１１１からスポンサーカード２００へ送る。
【０１０７】
スポンサーカード２００の制御部２０１は、認証要求を受け取ると、乱数Ｃｈａを生成し、生成したＣｈａを携帯電話１００へ送る。
制御部１０３は受け取ったＣｈａを近距離無線用送受信部１１０及び近距離無線用アンテナ１０９を介して近距離無線装置３１０に送信する。
制御部３０３は、Ｃｈａを受信すると署名部に送る。Ｃｈａを受け取った署名部は、共通鍵Ｋｃ#Ａを用いてＣｈａを暗号化し、Ｒｅｓを生成する。生成したＲｅｓは制御部３０３に出力し、制御部３０３は、受け取ったＲｅｓを近距離無線用送受信部３０２及び近距離無線用アンテナ３０１を介して、携帯電話１００に送信する。
【０１０８】
制御部１０３は、近距離無線用アンテナ１０９及び近距離無線用送受信部１１０を介してＲｅｓを受信し、受信したＲｅｓをインターフェース１１１からスポンサーカード２００へ送る。
制御部２０１は、Ｒｅｓを受け取ると、受け取ったＲｅｓを検証部２０３に送る。検証部２０３は、Ｒｅｓを受け取るとＫｃ#Ａを取り出す。取り出したＫｃ#Ａを用いて受け取ったＲｅｓを復号し、復号したものがＣｈａと一致するか否か検証する。
（７）上記（６）で、Ｒｅｓを受け取った検証部２０３が検証する際、Ｋｃ#Ａを取り出し、取り出したＫｃ#Ａを用いてＣｈａを暗号化し、暗号化したものが受け取ったＲｅｓと一致するか否か検証する。
（８）上記（３）〜（７）は、近距離無線装置３１０の署名部でディジタル署名データを生成しているが、スポンサーサーバ装置５１０の署名部５０６で生成する。
（９）本実施の形態及び上記（３）〜（７）では、検証をスポンサーカード２００内で行っているが、同様の処理を携帯電話１００が行う。このとき、スポンサーカード２００の情報記憶部２０２には、各スポンサーのスポンサーＩＤ、公開鍵、共通鍵等が上書きできないように記憶されている。
（１０）近距離無線装置３１０と、携帯電話１００との通信は、近距離無線の他、無線ＩＰ通信等の通信手段を用いる。
（１１）ユーザは、スポンサーカード２００を、カード提供業者からリースされる。
【０１０９】
スポンサーカード２００の制御部２０１は、クーポン情報を書き込む度に書き込み回数をカウントし、情報記憶部２０２に記憶しておく。制御部２０１は携帯電話１００を経由して、カウントした書き込み回数を定期的にカード提供業者のサーバ装置に送信する。
カード提供業者は、書き込み回数に応じてリース額を割り引く。
（１２）上記（１１）の割引額は、スポンサーカード２００のスポンサーが支払う。
（１３）上記（１１）で、カード提供業者は、ユーザに対して、書き込み回数に応じて新しいカードを追加する。
（１４）上記（１１）で、カード提供業者は、ユーザに対して、書き込み回数に応じて、メモリの容量が大きいものに交換する。
（１５）ユーザは、カード提供業者からスポンサーが付いていないカードを受け取る。
【０１１０】
ユーザはＷＥＢサイトでユーザ名等を登録し、スポンサーＡをスポンサーカード２００のスポンサーとして登録する処理を行う。
以降は（１１）のように行う。
（１６）スポンサーカード２００のスポンサーが複数の場合、スポンサーに優先順位を付ける。
【０１１１】
制御部２０１は、情報記憶部２０２のスポンサーエリア２０４に、クーポン情報を書き込む際、スポンサーエリア２０４に、受け取ったクーポン情報を書き込む為の十分な空き領域が無ければ、スポンサーエリア２０４に記憶されているクーポン情報のうち、スポンサーの優先順位が最も低いクーポン情報に上書きする。
（１７）上記（１６）で、スポンサーエリア２０４に、受け取ったクーポン情報を書き込む為の十分な空き領域がない場合、スポンサーエリア２０４に記憶されているクーポン情報の内、受け取ったクーポン情報に付されている優先順位より低い優先順位が付されているクーポン情報に上書きする。
（１８）制御部２０１は、スポンサーエリア２０４にクーポン情報を書き込む際、クーポン情報を受信した取得時間を計時し、クーポン情報と取得時刻とを対応付けて書き込む。
【０１１２】
制御部２０１は、スポンサーエリア２０４に空きが無ければ、クーポン情報と対応している取得時刻が古いものから上書きする。
（１９）制御部２０１は、スポンサーエリア２０４にクーポン情報を書き込む際に、スポンサーエリア２０４に空きが無ければ、ユーザに上書きして良いクーポン情報を選択させる。
（２０）スポンサーＡは、送信するクーポン情報に優先度情報を付けてクーポン情報を配信する。
【０１１３】
制御部２０１は、受け取ったクーポン情報をスポンサーエリア２０４に書き込む際、スポンサーエリア２０４に空きが無いとき、クーポン情報に付いている優先度情報に従って、優先度が低い情報に上書きする。
（２１）スポンサーＡは、クーポン情報に有効期限を付して配信する。
制御部２０１は、受け取ったクーポン情報を記憶し、有効期限になると削除する。
（２２）制御部２０１は、クーポン情報を受け取ると、受け取った時刻を対応付けて記憶し、受け取った時刻から所定の時間が経過すると、対応付けられているクーポン情報を削除する。
（２３）近距離無線装置３１０は、スポンサーを識別するIDを送信しているとしたが、送信する商品情報やクーポン情報のサービスの内容を識別するIDを送信するとしても良い。
（２４）スポンサーカード２００は、スポンサーが費用の少なくとも一部を負担することによって、安価でユーザに提供されるとしたが、スポンサーの付いていないスポンサーカードの費用を、カード提供業者が負担して安価でユーザに提供し、カード提供業者の広告情報やクーポン情報を取得するとしても良いし、カード提供後に、（１５）のようにしてスポンサーを登録するとしても良い。
【０１１４】
また、広告代理店がスポンサーとしてカードの費用を負担し、広告代理店が宣伝を請け負った他の企業についての広告を送信するとしても良い。
（２５）ユーザは、受信したくない情報を拒否するとしても良い。また、スポンサーは、ユーザが拒否した結果を基に、今後送信する情報を選択するとしても良い。その一例を、図１６〜２０を用いて以下に示す。なお、図１６には、カードが情報を取得する際、及び拒否した情報をスポンサーが取得する際に必要となる構成のみを示す。
【０１１５】
図１６のサーバ装置４００ｂは、E社、F社及びG社から宣伝を請け負った広告代理店が有す。スポンサー領域４０６ｂ（図示していない）に、図１７に示すPUSH情報一覧を記憶している。PUSH情報一覧は、広告情報、クーポン情報及びディジタル署名データと、それらに対するPUSH情報ID及びインデックスとから構成されるPUSH情報を、E社、F社及びG社毎に、それぞれのPUSH情報の数だけ合わせて構成される。インデックスは、広告情報及びクーポン情報の要旨を、ユーザに知らせるためのものである。PUSH情報IDは、PUSH情報を識別するものである。なお、図１７ではデータの構成のみ示し、PUSH情報の内容は省略している。
【０１１６】
更に、サーバ装置４００ｂは、図１８（１）〜（３）に示す、PUSH情報を分類する分類表を記憶している。
分類表（２）及び（３）は、それぞれ、広告情報及びクーポン情報を種類別に分類したものである。分類表（１）は、PUSH情報IDと、当該IDが示すPUSH情報の内容を、広告情報及びクーポン情報の分類とを対応付けたものである。
【０１１７】
また、ユーザ領域４０７ｂ（図示していない）には、図１９に示すように、実施の形態と同様のユーザID及び書き込み回数のほか、プロファイル情報及び拒否実態情報を記憶する。プロファイル情報は、ユーザIDを登録する際に予め登録されたユーザに関する情報であり、ユーザの年齢、性別、住所などから成る。また、拒否実態情報が示す領域には、スポンサーカード２００ｂから定期的に送られてくる拒否実態情報を記憶する。拒否実態情報は、ユーザが取得を拒否したPUSH情報を示し、ユーザが拒否したPUSH情報のID、PUSH情報を受信した日時及び送信元の近距離無線装置のIDを対応付けて構成される。
【０１１８】
図１６の近距離無線装置３１０ｂは、当該近距離無線装置３１０ｂに固有のIDであるID31bを記憶している。
図１６のスポンサーカード２００ｂは、広告代理店がスポンサーとして費用を負担することによって、安価にユーザへ提供される。また、スポンサーカード２００ｂは、スポンサーエリアに、拒否したPUSH情報に関する拒否実態情報を記憶する領域を備える。PUSH情報ID及び近距離無線装置のIDは、PUSH情報に含んで取得する。日時は、携帯電話１００ｂが計時した日時を取得し、対応付けて記憶する。拒否実態情報は、１ヶ月に１回、サーバ装置４００ｂへ送信する。
【０１１９】
また、スポンサーカード２００ｂは、PUSH情報を拒否できる回数を、拒否可能回数として予め記憶している。また、PUSH情報を拒否すると、拒否回数として、拒否した回数を記憶する。
以下、サーバ装置４００ｂからスポンサーカード２００ｂへPUSH情報を送信する際の動作を、図２０を用いて説明する。
【０１２０】
サーバ４００ｂは、PUSH情報を近距離無線装置３１０ｂへ送信する。
近距離無線装置３１０ｂは、PUSH情報を受信し、記憶する。PUSH情報を送信する際、近距離無線装置３１０ｂは、PUSH情報にID31ｂを付加して送信する。
スポンサーカード２００ｂは、PUSH情報を受け取ると（ステップＳ７１）、取得したPUSH情報からインデックスを抽出し（ステップＳ７２）、拒否回数が拒否可能回数と一致するか否かを判断する（ステップＳ７３）。
【０１２１】
一致しない場合（ステップＳ７３でNO）、抽出したインデックスと、このPUSH情報を書き込むか拒否するかをユーザに選択させる選択肢とを携帯電話１００ｂの表示部に表示する（ステップＳ７４）。ユーザからの選択を受け付け（ステップＳ７５）、書き込みの選択を受け付けると（ステップＳ７６でYES）、取得したPUSH情報をスポンサーエリアに書き込み（ステップＳ７７）、書き込み回数に「１」を加える（ステップＳ７８）。拒否の選択を受け付けると（ステップＳ７６でNO）、取得したPUSH情報からPUSH情報IDと送信元の近距離無線装置のID３１ｂとを抽出し（ステップＳ７９）、携帯電話１００ｂからPUSH情報を取得した日時情報を取得する（ステップＳ８０）。抽出したPUSH情報IDを、日時情報及びID３１ｂと対応付けて、拒否実態情報としてスポンサーエリアに記憶する（ステップＳ８１）。また、拒否回数に「１」を加える（ステップＳ８２）。
【０１２２】
一致する場合は、拒否できないため、インデックスを携帯電話１００ｂの表示部に表示する（ステップＳ８３）。また、取得したPUSH情報はスポンサーカード２００ｂのスポンサーエリアに書き込み（ステップＳ７７）、書き込み回数に「１」を加える（ステップＳ７８）。
このようにして、ユーザは、一定の割合以内であれば、受信したくないPUSH情報を拒否することが出来る。
【０１２３】
また、以下に、スポンサーカード２００ｂから拒否実態情報をサーバ装置４００ｂへ送信する際の動作を説明する。
スポンサーカード２００ｂは、拒否実態情報にユーザIDを付加して、定期的に、近距離無線装置３１０ｂを介してサーバ４００ｂへ送信する。送信すると、スポンサーエリア内の拒否実態情報を削除して、拒否回数を「０」にする。
【０１２４】
近距離無線装置３１０ｂは、受信した拒否実態情報をサーバ装置４００ｂへ送信する。
サーバ装置４００ｂは、受信した拒否実態情報をユーザ領域に書き込む。また、ユーザIDに対応するプロファイル情報及び分類表の拒否実態情報に含んで取得したPUSH情報IDに対応する分類に基づいて、今後送信するPUSH情報、PUSH情報を送信する近距離無線装置、送信する時間帯などを決定する。
【０１２５】
なお、PUSH情報を拒否できる割合は、期間で決めるのではなく、PUSH情報を受信した回数のうち、何回拒否できるかを規定したものでも良い。
また、スポンサーカード２００ｂは、拒否実態情報を送信するタイミングを期間で判断するのではなく、予め設定された回数を超えると送信するとしても良い。
また、拒否実態情報は、近距離無線装置３１０ｂに送信するのではなく、最も近くに設置されている他の近距離無線装置に送信しても良い。将来的に近距離無線装置が数多く設置されるようになった場合、ユーザが敢えて近距離無線装置の付近へ携帯電話１００ｂとスポンサーカード２００ｂとを持っていかなくても、ユーザの近くに設定されている近距離無線装置からサーバ装置４００ｂへ拒否実態情報を送信することが出来る。
【０１２６】
また、拒否実態情報は、他のPUSH情報を受け取る際に、近距離無線装置に送信されるとしても良いし、クーポン情報を利用する際に、クーポン情報と共に店舗のレジに送信し、レジからサーバ装置４００ｂへ送信されるとしても良い。また、書き込み回数をサーバ装置４００ｂへ送信する際に、拒否実態情報も併せて送信するとしても良い。
また、プロファイル情報は、サーバ装置４００ｂに記憶されているとしたが、スポンサーカード２００ｂに記憶しておき、拒否実態情報を送信する際に、プロファイル情報も付加して送信するとしても良い。
【０１２７】
また、拒否されたPUSH情報だけでなく、スポンサーカードに記録されたPUSH情報に関する情報を送信するとしても良い。
また、以下のように、スポンサーカードが、受信するPUSH情報を拒否するか否かを判断するとしても良い。
PUSH情報IDは、PUSH情報の内容の分類を示す種別情報を含む。スポンサーカード２００ｂは、拒否実態情報として記憶している、PUSH情報IDに含む種別情報から、新たに受信したクーポン情報を拒否するか否かを判断する。
【０１２８】
また、サーバ装置４００ｂは、PUSH情報の分類表を記憶していなくても、上記と同様に、PUSH情報IDに含まれる種別情報を基にして、今後送信するPUSH情報などを決定するとしても良い。
また、広告情報とクーポン情報と、それぞれにIDを付しても良いし、種類で分類せずに更に細かく分類しても良い。
【０１２９】
また、一旦スポンサーカード２００ｂに記録された後、クーポン情報が使われないまま削除されたPUSH情報のIDも、拒否実態情報に付加してサーバ装置４００ｂへ送信しても良い。
（２５）本発明は、上記に示す方法であるとしても良い。また、これらの方法をコンピュータにより実現するコンピュータプログラムであるとしても良いし、前記コンピュータプログラムから成るデジタルプログラムであるとしても良い。
【０１３０】
また、本発明は、前記コンピュータプログラム又は前記デジタル信号をコンピュータ読み取り可能な記録媒体、例えば、フレキシブルディスク、ハードディスク、CD-ROM、MO、DVD、DVD-ROM、DVD−RAM、BD（Blu-ray Disk）、半導体メモリなど、に記録したものとしても良い。また、これらの記録媒体に記録されている前記コンピュータプログラム又はデジタル信号であるとしても良い。
【０１３１】
また、本発明は、前記コンピュータプログラム又はデジタル信号を、電気通信回線、無線又は有線通信回線、インターネットを代表とするネットワーク等を経由して伝送するものとしても良い。
また、本発明は、マイクロプロセッサとメモリとを備えたコンピュータシステムであって、前記メモリは、上記コンピュータプログラムを記憶しており、前記マイクロプロセッサは、前記コンピュータプログラムに従って動作するとしても良い。
【０１３２】
また、前記プログラム又は前記デジタル信号を前記記録媒体に記録して移送することにより、又は前記プログラム又は前記デジタル信号を前記ネットワーク等を経由して移送することにより、独立した他のコンピュータシステムにより実施するとしてもよい。
（２６）上記実施の形態及び上記変形例をそれぞれ組み合わせるとしてもよい。
【産業上の利用可能性】
【０１３３】
情報提供者からユーザが保持するメモリーカードに情報を配信する情報配信システムに利用することが出来る。また、メモリーカードを安価で提供することが出来る。
【図面の簡単な説明】
【０１３４】
【図１】スポンサーカード２００を利用するシステムを示すブロック図である。
【図２】スポンサーサーバ装置５１０の構成を表すブロック図である。
【図３】サーバ装置４００の構成を表すブロック図である。
【図４】近距離無線装置３１０の構成を表すブロック図である。
【図５】携帯電話１００の構成を表すブロック図である。
【図６】スポンサーカード２００の構成を表すブロック図である。
【図７】レジ６０１の構成を表すブロック図である。
【図８】スポンサーサーバ装置５１０から近距離無線装置３１０へ広告情報及びクーポン情報を送信する動作を示すフローチャートである。図９へ続く。
【図９】近距離無線装置３１０からスポンサーカード２００へ広告情報及びクーポン情報を送信する動作を示すフローチャートである。図８の続き。図１０へ続く。
【図１０】近距離無線装置３１０でディジタル署名データを検証する動作を示すフローチャートである。図９の続き。図１１へ続く。
【図１１】クーポン情報を書き込む動作を示すフローチャートである。図１０の続き。
【図１２】クーポン情報を利用するときの動作を示すフローチャートである。図１３に続く。
【図１３】クーポン情報を利用するときの動作を示すフローチャートである。図１２の続き。
【図１４】スポンサーカード２００からサーバ装置４００へ書き込み回数を送信する際の動作を示すフローチャートである。
【図１５】レジ６０１からスポンサーサーバ装置５１０へ利用回数を送信する際の動作を示すフローチャートである。
【図１６】ユーザがPUSH情報を拒否可能なシステムの構成を示すブロック図である。
【図１７】サーバ装置４００ｂが記憶しているPUSH情報一覧の構成を示す。
【図１８】PUSH情報の分類表の構成を示す。
【図１９】サーバ装置４００ｂがユーザ領域に記憶する情報の構成を示す。
【図２０】スポンサーカード２００ｂがPUSH情報を記憶する際の動作を示すフローチャートである。
【符号の説明】
【０１３５】
１００    携帯電話
２００    スポンサーカード
２０１    制御部
２０２    情報記憶部
２０３    検証部
２０４    スポンサーエリア
２０５    ユーザエリア
３１０、３２０、３３０    近距離無線装置
４００    サーバ装置
５１０，５２０，５３０  スポンサーサーバ装置
６００〜１１００    ショップ
６０１〜１１０１  レジ
１２００    通信網
１３００    基地局
１４００    通信網
１５００    音楽配信サーバ装置
１６００    基地局
１７００    情報配信システム
【図１】
2004164629.tif 000003
【図２】
2004164629.tif 000004
【図３】
2004164629.tif 000005
【図４】
2004164629.tif 000006
【図５】
2004164629.tif 000007
【図６】
2004164629.tif 000008
【図７】
2004164629.tif 000009
【図８】
2004164629.tif 000010
【図９】
2004164629.tif 000011
【図１０】
2004164629.tif 000012
【図１１】
2004164629.tif 000013
【図１２】
2004164629.tif 000014
【図１３】
2004164629.tif 000015
【図１４】
2004164629.tif 000016
【図１５】
2004164629.tif 000017
【図１６】
2004164629.tif 000018
【図１７】
2004164629.tif 000019
【図１８】
2004164629.tif 000020
【図１９】
2004164629.tif 000021
【図２０】
2004164629.tif 000022